(57)【要約】【課題】本発明は、複数のユーザが存在する場合でも、表示状態をより適切に調整できる表示装置、該方法、該システムを提供する。【解決手段】本発明の表示装置ＤＰは、表示部１２と、ユーザの所在位置を検出する位置検出部（ステレオカメラ１１、位置処理部１４３）と、複数の測色位置各々から表示部１２の表示面を２次元で測色した複数の測色結果に複数の測色位置各々を対応付けた測色情報を記憶する測色情報記憶部１５１と、複数のユーザによる複数の所在位置から１個の位置を合成所在位置として決定する決定方法を記憶する合成所在位置決定情報記憶部１５２と、複数の所在位置を検出した場合、前記複数の所在位置から前記記憶された決定方法に従って合成所在位置を求め、これら合成所在位置と測色情報とに基づいて、前記合成所在位置から前記表示面を見た場合に目標の見え方となるように、表示部１２の表示状態を調整する表示調整部１４５を備える。【選択図】図１
2017090854.tif 000002
【特許請求の範囲】
【請求項１】
表示面に表示を行う表示部と、
前記表示面に対するユーザの所在位置を検出する位置検出部と、
前記表示面に対する複数の測色位置それぞれから前記表示面を２次元で測色した複数の測色結果に前記複数の測色位置それぞれを対応付けた測色情報を記憶する測色情報記憶部と、
複数のユーザによる複数の所在位置から１個の位置を合成所在位置として決定する決定方法を記憶する合成所在位置決定情報記憶部と、
前記位置検出部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備え、
前記表示調整部は、前記位置検出部で複数のユーザによる複数の所在位置を検出した場合、前記検出した複数の所在位置から前記合成所在位置決定情報記憶部に記憶された決定方法に従って合成所在位置を求め、前記求めた合成所在位置と前記測色情報記憶部に記憶された前記測色情報とに基づいて、前記合成所在位置から前記表示面を見た場合に予め設定された目標の見え方となるように、前記表示部の表示状態を調整すること
を特徴とする表示装置。
【請求項２】
前記表示調整部は、前記位置検出部で検出した所在位置と前記測色情報記憶部に記憶された前記測色情報とに基づいて、前記ユーザの前記所在位置から前記表示面を見た場合に予め設定された目標の見え方となるように、前記表示面上の位置に応じた調整値で、前記表示部の表示状態を調整すること
を特徴とする請求項１に記載の表示装置。
【請求項３】
前記合成所在位置決定情報記憶部は、互いに異なる複数の決定方法を記憶し、
ユーザによる操作を入力するための入力部と、
前記合成所在位置決定情報記憶部に記憶した前記複数の決定方法を前記表示部に表示し、前記表示部に表示した前記複数の決定方法のうちの１つを前記入力部で入力された操作に基づいて選定し、前記選定した決定方法を前記表示調整部で用いる決定方法として設定する決定方法設定部とをさらに備えること
を特徴とする請求項１または請求項２に記載の表示装置。
【請求項４】
前記入力部は、リモートコントローラで受け付けたユーザによる操作を受信する通信インターフェース部であること
を特徴とする請求項３に記載の表示装置。
【請求項５】
前記複数の決定方法は、中央重点法、位置平均法、最遠距離法および最近距離法のうちの少なくとも２つであり、
前記中央重点法は、前記位置検出部で検出した複数の所在位置のうち、中央の所在位置を前記合成所在位置とする方法であり、
前記位置平均法は、前記位置検出部で検出した複数の所在位置を平均した位置を前記合成所在位置とする方法であり、
前記最遠距離法は、前記位置検出部で検出した複数の所在位置のうち、最も遠い所在位置を前記合成所在位置とする方法であり、
前記最近距離法は、前記位置検出部で検出した複数の所在位置のうち、最も近い所在位置を前記合成所在位置とする方法であること
を特徴とする請求項３または請求項４に記載の表示装置。
【請求項６】
前記位置検出部は、所定の撮像対象を撮像して一対の画像を生成するステレオカメラと、前記ステレオカメラで生成した一対の画像に基づいて前記ユーザの所在位置を求める位置処理部とを備え、
前記ステレオカメラで生成した一対の画像のうちの一方に基づいて前記ユーザの大きさを求めるサイズ処理部をさらに備え、
前記複数の決定方法は、中央重点法、位置平均法、最遠距離法、最近距離法、大人優先法および子供優先法のうちの少なくとも２つであり、
前記中央重点法は、前記位置検出部で検出した複数の所在位置のうち、中央の所在位置を前記合成所在位置とする方法であり、
前記位置平均法は、前記位置検出部で検出した複数の所在位置を平均した位置を前記合成所在位置とする方法であり、
前記最遠距離法は、前記位置検出部で検出した複数の所在位置のうち、最も遠い所在位置を前記合成所在位置とする方法であり、
前記最近距離法は、前記位置検出部で検出した複数の所在位置のうち、最も近い所在位置を前記合成所在位置とする方法であり、
前記大人優先法は、前記位置検出部で検出した複数の所在位置のうち、最も大きなユーザの所在位置を前記合成所在位置とする方法であり、
前記子供優先法は、前記位置検出部で検出した複数の所在位置のうち、最も小さなユーザの所在位置を前記合成所在位置とする方法であること
を特徴とする請求項３または請求項４に記載の表示装置。
【請求項７】
前記位置検出部は、所定の撮像対象を撮像して一対の画像を生成するステレオカメラと、前記ステレオカメラで生成した一対の画像に基づいて前記ユーザの所在位置を求める位置処理部とを備え、
前記位置処理部は、前記ステレオカメラで生成した一対の画像のうちの一方に基づいて前記ユーザを写した画像領域の重心位置から前記ユーザの所在位置を求めること
を特徴とする請求項５または請求項６に記載の表示装置。
【請求項８】
表示部の表示面に対する複数の測色位置それぞれから前記表示面を２次元で測色した複数の測色結果に前記複数の測色位置それぞれを対応付けた測色情報を測色情報記憶部に記憶する測色情報記憶工程と、
複数のユーザによる複数の所在位置から１個の位置を合成所在位置として決定する決定方法を合成所在位置決定情報記憶部に記憶する合成所在位置決定情報記憶工程と、
前記表示面に対するユーザの所在位置を検出する位置検出工程と、
前記位置検出工程で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整工程とを備え、
前記表示調整工程は、前記位置検出工程で複数のユーザによる複数の所在位置を検出した場合、前記検出した複数の所在位置から前記合成所在位置決定情報記憶部に記憶された決定方法に従って合成所在位置を求め、前記求めた合成所在位置と前記測色情報記憶部に記憶された前記測色情報とに基づいて、前記合成所在位置から前記表示面を見た場合に予め設定された目標の見え方となるように、前記表示部の表示状態を調整すること
を特徴とする表示方法。
【請求項９】
測定対象を２次元で測色する２次元測色計と、請求項１ないし請求項７のいずれか１項に記載の表示装置とを備える表示システムであって、
前記２次元測色計は、測定結果を外部の機器へ出力する測色側インターフェース部を備え、
前記表示装置は、前記２次元測色計の前記測色側インターフェース部から出力された測色結果を取得する表示側インターフェース部と、前記表示側インターフェース部で取得した前記測色結果を前記測色情報として前記測色情報記憶部に記憶する測色情報記憶処理部とをさらに備えること
を特徴とする表示システム。
【発明の詳細な説明】
【技術分野】
【０００１】
本発明は、表示装置および表示方法ならびに表示システムに関し、特に、ユーザの所在する、表示面に対する所在位置に応じて表示状態（表示出力）を調整できる表示装置および表示方法ならびに表示システムに関する。
【背景技術】
【０００２】
従来、様々な表示装置が研究、開発され、提案されている。例えば、特許文献１に開示された表示装置は、ユーザの存在を検知するセンサを搭載した表示装置であって、前記センサの検出結果をもとに前記ユーザの位置を算出し、前記ユーザの位置に応じて出力態様を変更するセンサ処理部を備える。より具体的には、センサ処理部は、ユーザの位置に応じて、画面表示される文字情報の制御、映像調整、音声調整、タッチパネルでの操作アイコン表示調整を行う。より詳しくは、前記映像調整として、ユーザがテレビの近くにいると判断した場合、センサ処理部は、輝度を低くし、逆に、ユーザがテレビから遠い位置にいると判断した場合、センサ処理部は、輝度を高くする（特許文献１の例えば［００２４］段落等）。
【０００３】
また例えば、特許文献２に開示された画像表示装置は、画像表示パネルと前記画像表示パネルにおける視野角の値を視野角指示信号が示す値に変更する視野角変更手段とを有する表示パネルモジュールと、前記表示パネルモジュールを回転可能に支持する支持部と、前記画像表示パネルの画像表示面の法線の向きを示す回転角の値を回転角指示信号が示す値にするように、前記表示パネルモジュールを回転させる回転駆動手段と、前記表示パネルモジュールの前記画像表示面側の観察者の人数及び位置を検出する人検出手段と、検出された前記人数及び前記位置に基づいて前記回転角指示信号及び前記視野角指示信号を決定し、決定された前記回転角指示信号を前記回転駆動手段に供給し、決定された前記視野角指示信号を前記視野角変更手段に供給する制御部とを有する。そして、この特許文献２に開示された画像表示装置では、前記表示パネルモジュールは、前記画像表示パネルの背面に光を照射するバックライト装置を有し、前記視野角変更手段は、前記バックライト装置からの出射光の配光分布を変更する手段を含み、前記人検出手段によって検出された前記観察者が複数人である場合に、前記回転駆動手段は、前記制御部からの前記回転指示信号に従って、前記画像表示面の中心位置の法線を前記複数人の観察者の内の最も外側に位置する２人の観察者の間に向けるように、前記表示パネルモジュールを回転させる。
【先行技術文献】
【特許文献】
【０００４】
【特許文献１】特開２０１１−２４７９８３号公報
【特許文献２】特開２０１２−２５２１０９号公報
【発明の概要】
【発明が解決しようとする課題】
【０００５】
ところで、表示装置には、表示面の中央位置を通る表示面の法線方向を基準とした、ユーザの表示面を見る角度によって見え方が異なることがある。特に、液晶表示装置では、前記見え方は、前記角度に依存し、前記法線上から前記表示面における前記法線を含む小領域を見た見え方を正常な見え方と定義し、前記正常な見え方と同等に見える前記角度の範囲が視野角として規定されている。このため、ユーザが所在する、表示面に対する位置（所在位置）によっては、前記ユーザは、前記視野角を外れた前記角度から前記表示面を見ることとなり、このような状況では、前記正常な見え方と異なった見え方となってしまい、表示状態（表示出力）の調整が望まれる。特に、近年では、表示面の大きさが大型化しているため、このような状況に成り易く、前記表示状態（表示出力）の調整が一層望まれる。また、表示面の大きさが大型化すると、ユーザの所在位置が表示面の中央位置を通る表示面の法線上にあっても、すなわち、ユーザが前記法線方向から表示面を見ていても、表示面の周辺部分では、ユーザは、大きな角度で前記周辺部分を見込むこととなるため、前記正常な見え方と異なった見え方となってしまい、やはり、前記表示状態（表示出力）の調整が望まれる。一方、ユーザの所在位置に応じて前記表示状態を調整するとしても、ユーザが複数存在する場合、いずれのユーザを重視して調整すべきかが問題となる。
【０００６】
前記特許文献１に開示された表示装置は、テレビとユーザとの距離に応じて輝度を表示面全体で一律に調整しているだけであるので、前記状況での見え方を改善することは難しい。前記特許文献２に開示された画像表示装置は、バックライト装置における出射光の配光分布を変更することで視野角を変更しているため、配光特性の異なる複数のバックライト装置が必要となってしまう。また、前記特許文献２に開示された画像表示装置は、複数人の観察者が存在する場合、画像表示パネルの画像表示面の法線の向きを回転駆動手段によって変えることで複数人の観察者に対応するものであり、表示状態を調整するものではなく、また回転駆動手段を必要とし、その回転に必要な広い設置面積を確保しなければならない。
【０００７】
本発明は、上述の事情に鑑みて為された発明であり、その目的は、複数のユーザが存在する場合でも、表示状態をより適切に調整できる表示装置および表示方法ならびに表示システムを提供することである。
【課題を解決するための手段】
【０００８】
本発明者は、種々検討した結果、上記目的は、以下の本発明により達成されることを見出した。すなわち、本発明の一態様にかかる表示装置は、表示面に表示を行う表示部と、前記表示面に対するユーザの所在位置を検出する位置検出部と、前記表示面に対する複数の測色位置それぞれから前記表示面を２次元で測色した複数の測色結果に前記複数の測色位置それぞれを対応付けた測色情報を記憶する測色情報記憶部と、複数のユーザによる複数の所在位置から１個の位置を合成所在位置として決定する決定方法を記憶する合成所在位置決定情報記憶部と、前記位置検出部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備え、前記表示調整部は、前記位置検出部で複数のユーザによる複数の所在位置を検出した場合、前記検出した複数の所在位置から前記合成所在位置決定情報記憶部に記憶された決定方法に従って合成所在位置を求め、前記求めた合成所在位置と前記測色情報記憶部に記憶された前記測色情報とに基づいて、前記合成所在位置から前記表示面を見た場合に予め設定された目標の見え方となるように、前記表示部の表示状態を調整することを特徴とする。好ましくは、上述の表示装置において、前記表示状態（表示出力）は、輝度および色度のうちの少なくとも一方である。上述の表示装置において、前記目標の見え方は、予め定義された所定の見え方であって良く、好ましくは、前記目標の見え方は、表示面の中央位置を通る表示面の法線上から前記表示面の前記中央位置を見た場合における見え方（正常な見え方）であって良く、好ましくは、前記目標の見え方は、表示面における、ユーザの所在位置を通る表示面の法線を含む所定広さの領域を前記法線上から見た場合における見え方（ユーザの所在位置での見え方）であって良く、好ましくは、前記目標の見え方は、表示面における、合成所在位置を通る表示面の法線を含む所定広さの領域を前記法線上から見た場合における見え方（合成所在位置での見え方）であって良い。好ましくは、上述の表示装置において、前記表示調整部は、前記測色情報記憶部に記憶された前記測色情報から前記位置検出部で検出した所在位置に応じた測色結果を取り出し、前記取り出した測色結果と前記目標の見え方との差を補償するように前記表示部における各画素の出力を調整することで、前記表示部の表示状態を調整する。好ましくは、上述の表示装置において、前記表示調整部は、前記測色情報記憶部に記憶された前記測色情報に、前記位置検出部で検出した所在位置に当たる測色結果が無い場合に、前記測色情報記憶部に記憶された前記測色情報から前記位置検出部で検出した所在位置に近い順に選択した複数（例えば４個や１２個等）の測色位置に対応する複数の測色結果に基づいて、補間（例えば線形補間やスプライン補間やラグランジュ補間等）によって前記位置検出部で検出した所在位置に応じた測色結果を生成する。好ましくは、上述の表示装置において、前記表示調整部は、前記位置検出部で複数のユーザによる複数の所在位置を検出した場合、前記検出した複数の所在位置から前記合成所在位置決定情報記憶部に記憶された決定方法に従って合成所在位置を求め、前記測色情報記憶部に記憶された前記測色情報から前記求めた合成所在位置に応じた測色結果を取り出し、前記取り出した測色結果と前記目標の見え方との差を補償するように前記表示部における各画素の出力を調整することで、前記表示部の表示状態を調整する。好ましくは、上述の表示装置において、前記表示調整部は、前記位置検出部で複数のユーザによる複数の所在位置を検出した場合、前記検出した複数の所在位置から前記合成所在位置決定情報記憶部に記憶された決定方法に従って合成所在位置を求め、前記測色情報記憶部に記憶された前記測色情報に、前記求めた合成所在位置に当たる測色結果が無い場合に、前記測色情報記憶部に記憶された前記測色情報から前記求めた合成所在位置に近い順に選択した複数（例えば４個や１２個等）の測色位置に対応する複数の測色結果に基づいて、補間（例えば線形補間やスプライン補間やラグランジュ補間等）によって前記求めた合成所在位置に応じた測色結果を生成する。
【０００９】
このような表示装置は、前記位置検出部で検出した所在位置と前記測色情報記憶部に記憶された前記測色情報とに基づいて、前記ユーザの所在位置から前記表示面を見た場合に予め設定された目標の見え方となるように、前記表示部の表示状態を調整する表示調整部を備えるので、表示面に対するユーザの所在する所在位置に応じて表示状態（表示出力）を調整できる。そして、上記表示装置では、複数のユーザによる複数の所在位置から１個の位置を合成所在位置として決定する決定方法が合成所在位置決定情報記憶部に記憶されており、前記表示調整部は、前記位置検出部で複数のユーザによる複数の所在位置を検出した場合、前記検出した複数の所在位置から前記合成所在位置決定情報記憶部に記憶された決定方法に従って合成所在位置を求め、この求めた合成所在位置と前記測色情報記憶部に記憶された前記測色情報とに基づいて、前記合成所在位置から前記表示面を見た場合に予め設定された目標の見え方となるように、前記表示部の表示状態を調整する。したがって、上記表示装置は、複数のユーザが存在する場合でも、表示状態をより適切に調整できる。
【００１０】
また、他の一態様では、上述の表示装置において、前記表示調整部は、前記位置検出部で検出した所在位置と前記測色情報記憶部に記憶された前記測色情報とに基づいて、前記ユーザの前記所在位置から前記表示面を見た場合に予め設定された目標の見え方となるように、前記表示面上の位置に応じた調整値で、前記表示部の表示状態を調整することを特徴とする。好ましくは、上述の表示装置において、前記測色結果は、前記表示面を複数に分けた複数の領域それぞれに対する複数の測定値を含み、前記表示調整部は、前記測色情報記憶部に記憶された前記測色情報から前記位置検出部で検出した所在位置に応じた測色結果を取り出し、前記表示部における各画素ごとに、前記取り出した測色結果と前記目標の見え方との差を補償するように前記表示面上の位置に応じた調整値をそれぞれ生成し、前記生成した各調整値で前記表示部における各画素の出力を調整することで、前記表示部の表示状態を調整する。好ましくは、上述の表示装置において、前記測色結果は、前記表示面を複数に分けた複数の領域それぞれに対する複数の測定値を含み、前記表示調整部は、前記位置検出部で複数のユーザによる複数の所在位置を検出した場合、前記検出した複数の所在位置から前記合成所在位置決定情報記憶部に記憶された決定方法に従って合成所在位置を求め、前記測色情報記憶部に記憶された前記測色情報から前記求めた合成所在位置に応じた測色結果を取り出し、前記表示部における各画素ごとに、前記取り出した測色結果と前記目標の見え方との差を補償するように前記表示面上の位置に応じた調整値をそれぞれ生成し、前記生成した各調整値で前記表示部における各画素の出力を調整することで、前記表示部の表示状態を調整する。
【００１１】
ユーザは、表示面の各位置を、前記各位置に応じた各角度で見込むため、前記各位置に応じた各見え方で見えることになる。このような表示装置は、前記表示面上の位置に応じた調整値で、前記表示部の表示状態を調整するので、前記各位置に応じた各見え方を個々に調整できる。
【００１２】
また、他の一態様では、これら上述の表示装置において、前記合成所在位置決定情報記憶部は、互いに異なる複数の決定方法を記憶し、ユーザによる操作を入力するための入力部と、前記合成所在位置決定情報記憶部に記憶した前記複数の決定方法を前記表示部に表示し、前記表示部に表示した前記複数の決定方法のうちの１つを前記入力部で入力された操作に基づいて選定し、前記選定した決定方法を前記表示調整部で用いる決定方法として設定する決定方法設定部とをさらに備えることを特徴とする。
【００１３】
このような表示装置は、予め用意された複数の決定方法のうちから、ユーザの考えに応じた決定方法を設定できる。
【００１４】
また、他の一態様では、これら上述の表示装置において、前記入力部は、リモートコントローラで受け付けたユーザによる操作を受信する通信インターフェース部であることを特徴とする。
【００１５】
このような表示装置は、遠隔操作で、決定方法を設定できる。
【００１６】
また、他の一態様では、これら上述の表示装置において、前記複数の決定方法は、中央重点法、位置平均法、最遠距離法および最近距離法のうちの少なくとも２つであり、前記中央重点法は、前記位置検出部で検出した複数の所在位置のうち、中央の所在位置を前記合成所在位置とする方法であり、前記位置平均法は、前記位置検出部で検出した複数の所在位置を平均した位置を前記合成所在位置とする方法であり、前記最遠距離法は、前記位置検出部で検出した複数の所在位置のうち、最も遠い所在位置を前記合成所在位置とする方法であり、前記最近距離法は、前記位置検出部で検出した複数の所在位置のうち、最も近い所在位置を前記合成所在位置とする方法であることを特徴とする。
【００１７】
これによれば、前記複数の決定方法として、中央重点法、位置平均法、最遠距離法および最近距離法のうちの少なくとも２つを備える表示装置が提供できる。
【００１８】
また、他の一態様では、これら上述の表示装置において、前記位置検出部は、所定の撮像対象を撮像して一対の画像を生成するステレオカメラと、前記ステレオカメラで生成した一対の画像に基づいて前記ユーザの所在位置を求める位置処理部とを備え、前記ステレオカメラで生成した一対の画像のうちの一方に基づいて前記ユーザの大きさを求めるサイズ処理部をさらに備え、前記複数の決定方法は、中央重点法、位置平均法、最遠距離法、最近距離法、大人優先法および子供優先法のうちの少なくとも２つであり、前記中央重点法は、前記位置検出部で検出した複数の所在位置のうち、中央の所在位置を前記合成所在位置とする方法であり、前記位置平均法は、前記位置検出部で検出した複数の所在位置を平均した位置を前記合成所在位置とする方法であり、前記最遠距離法は、前記位置検出部で検出した複数の所在位置のうち、最も遠い所在位置を前記合成所在位置とする方法であり、前記最近距離法は、前記位置検出部で検出した複数の所在位置のうち、最も近い所在位置を前記合成所在位置とする方法であり、前記大人優先法は、前記位置検出部で検出した複数の所在位置のうち、最も大きなユーザの所在位置を前記合成所在位置とする方法であり、前記子供優先法は、前記位置検出部で検出した複数の所在位置のうち、最も小さなユーザの所在位置を前記合成所在位置とする方法である。
【００１９】
これによれば、前記複数の決定方法として、中央重点法、位置平均法、最遠距離法、最近距離法、大人優先法および子供優先法のうちの少なくとも２つを備える表示装置が提供できる。
【００２０】
また、他の一態様では、これら上述の表示装置において、前記位置検出部は、所定の撮像対象を撮像して一対の画像を生成するステレオカメラと、前記ステレオカメラで生成した一対の画像に基づいて前記ユーザの所在位置を求める位置処理部とを備え、前記位置処理部は、前記ステレオカメラで生成した一対の画像のうちの一方に基づいて前記ユーザを写した画像領域の重心位置から前記ユーザの所在位置を求めることを特徴とする。
【００２１】
このような表示装置は、ユーザの大きさを考慮して前記ユーザの所在位置を求めることができ、より適切に前記ユーザの所在位置を求めることができる。
【００２２】
そして、本発明の他の一態様にかかる表示方法は、表示部の表示面に対する複数の測色位置それぞれから前記表示面を２次元で測色した複数の測色結果に前記複数の測色位置それぞれを対応付けた測色情報を測色情報記憶部に記憶する測色情報記憶工程と、複数のユーザによる複数の所在位置から１個の位置を合成所在位置として決定する決定方法を合成所在位置決定情報記憶部に記憶する合成所在位置決定情報記憶工程と、前記表示面に対するユーザの所在位置を検出する位置検出工程と、前記位置検出工程で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整工程とを備え、前記表示調整工程は、前記位置検出工程で複数のユーザによる複数の所在位置を検出した場合、前記検出した複数の所在位置から前記合成所在位置決定情報記憶部に記憶された決定方法に従って合成所在位置を求め、前記求めた合成所在位置と前記測色情報記憶部に記憶された前記測色情報とに基づいて、前記合成所在位置から前記表示面を見た場合に予め設定された目標の見え方となるように、前記表示部の表示状態を調整することを特徴とする。
【００２３】
このような表示方法は、前記位置検出工程で検出した所在位置と前記測色情報記憶部に記憶された前記測色情報とに基づいて、前記ユーザの所在位置から前記表示面を見た場合に予め設定された目標の見え方となるように、前記表示部の表示状態を調整する表示調整工程を備えるので、表示面に対するユーザの所在する所在位置に応じて表示状態（表示出力）を調整できる。そして、上記表示方法では、複数のユーザによる複数の所在位置から１個の位置を合成所在位置として決定する決定方法が合成所在位置決定情報記憶部に記憶されており、前記表示調整工程は、前記位置検出工程で複数のユーザによる複数の所在位置を検出した場合、前記検出した複数の所在位置から前記合成所在位置決定情報記憶部に記憶された決定方法に従って合成所在位置を求め、この求めた合成所在位置と前記測色情報記憶部に記憶された前記測色情報とに基づいて、前記合成所在位置から前記表示面を見た場合に予め設定された目標の見え方となるように、前記表示部の表示状態を調整する。したがって、上記表示方法は、複数のユーザが存在する場合でも、表示状態をより適切に調整できる。
【００２４】
さらに、本発明の他の一態様にかかる表示システムは、測定対象を２次元で測色する２次元測色計と、これら上述のいずれかの表示装置とを備える表示システムであって、前記２次元測色計は、測定結果を外部の機器へ出力する測色側インターフェース部を備え、前記表示装置は、前記２次元測色計の前記測色側インターフェース部から出力された測色結果を取得する表示側インターフェース部と、前記表示側インターフェース部で取得した前記測色結果を前記測色情報として前記測色情報記憶部に記憶する測色情報記憶処理部とをさらに備えることを特徴とする。好ましくは、上述の表示システムにおいて、前記２次元測色計は、３刺激値を測定する２次元色彩計である。
【００２５】
このような表示システムは、これら上述のいずれかの表示装置を備えるので、表示面に対するユーザの所在する所在位置に応じて表示状態（表示出力）を調整でき、しかも複数のユーザが存在する場合でも、前記表示状態をより適切に調整できる。そして。上記表示システムは、２次元測色計を備え、表示装置は、前記２次元測色計で測色した測色結果を取得するので、自動的に、前記測色結果を前記測色情報として前記測色情報記憶部に記憶できる。
【発明の効果】
【００２６】
本発明にかかる表示装置および表示方法ならびに表示システムは、複数のユーザが存在する場合でも、表示状態をより適切に調整できる。
【図面の簡単な説明】
【００２７】
【図１】実施形態における表示システムの構成を示す図である。
【図２】実施形態の表示システムにおける主に表示装置の構成を示すブロック図である。
【図３】表示装置の表示面を２次元で測色する１個の２次元測色計での各測色位置を説明するための図である。
【図４】表示装置の表示面を２次元で測色する複数の２次元測色計での各測色位置を説明するための図である。
【図５】表示装置に測色情報として記憶される、図３に示す第１測色位置ＰＭ１で測色された第１測色結果の一例を示す図である。
【図６】表示装置に測色情報として記憶される、図３に示す第２測色位置ＰＭ２で測色された第２測色結果の一例を示す図である。
【図７】表示装置に測色情報として記憶される、図３に示す第３測色位置ＰＭ３で測色された第３測色結果の一例を示す図である。
【図８】表示装置に測色情報として記憶される、図３に示す第４測色位置ＰＭ４で測色された第４測色結果の一例を示す図である。
【図９】表示装置に測色情報として記憶される、図３に示す第５測色位置ＰＭ５で測色された第５測色結果の一例を示す図である。
【図１０】実施形態の表示システムにおける２次元測色計の構成を示すブロック図である。
【図１１】実施形態の表示システムにおける表示装置の表示部に表示される一例の画像を説明するための図である。
【図１２】実施形態の表示システムにおける表示装置の表示状態の調整に関する設定の動作を示すフローチャートである。
【図１３】実施形態の表示システムにおける表示装置の表示部に表示される、表示状態の調整に関する一例の設定画面を説明するための図である。
【図１４】実施形態の表示システムにおける表示装置の表示状態の調整に関する動作を示すフローチャートである。
【図１５】実施形態の表示システムにおける表示装置の前方に１人のユーザが所在している状況を説明するための図である。
【図１６】実施形態の表示システムにおける表示装置の前方に複数人のユーザが所在している状況を説明するための図である。
【発明を実施するための形態】
【００２８】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００２９】
（構成）
図１は、実施形態における表示システムの構成を示す図である。図２は、実施形態の表示システムにおける主に表示装置の構成を示すブロック図である。なお、図２には、ユーザによる操作を遠隔で入力するためのリモートコントローラも図示されている。図３は、表示装置の表示面を２次元で測色する１個の２次元測色計での各測色位置を説明するための図である。図４は、表示装置の表示面を２次元で測色する複数の２次元測色計での各測色位置を説明するための図である。図５〜図９は、表示装置に測色情報として記憶される、図３に示す第１から第５測色位置ＰＭ１〜ＰＭ５で測色された第１から第５測色結果の一例を示す図である。図１０は、実施形態の表示システムにおける２次元測色計の構成を示すブロック図である。
【００３０】
実施形態における表示システムＤＳは、例えば、図１に示すように、表示を行う表示装置ＤＰと、測定対象を２次元で測色する２次元測色計ＭＤとを備える。この表示システムＤＳにおける２次元測色計ＭＤは、例えば白色、赤色（Ｒ）、緑色（Ｇ）、青色（Ｂ）および中間色等の所定の色度輝度調整用画像（測色情報取得用画像）を表示した表示装置ＤＰの表示面を２次元で測色する。この表示システムＤＳにおける表示装置ＤＰは、２次元測色計ＭＤで測色した測色結果をその測色位置と対応付けて予め記憶し、前記表示面に対するユーザの所在する位置（所在位置）を検出し、表示を行う際に、この検出したユーザの所在位置と前記測色結果とに基づいて、前記ユーザの所在位置から前記表示面を見た場合に予め設定された目標の見え方となるように、前記表示部の表示状態を調整する。そして、本実施形態では、表示装置ＤＰは、複数のユーザによる複数の所在位置を検出した場合、所定の決定方法に従って前記複数の所在位置から１個の位置を合成所在位置として決定し、前記表示を行う際に、この決定した合成所在位置と前記測色結果とに基づいて、前記合成所在位置から前記表示面を見た場合に前記目標の見え方となるように、前記表示部の表示状態を調整する。
【００３１】
このような表示システムＤＳにおける表示装置ＤＰは、例えば、図２に示すように、ステレオカメラ１１と、表示部１２と、通信インターフェース部（通信ＩＦ部）１３と、表示側制御処理部（ＤＰ制御処理部）１４と、表示側記憶部（ＤＰ記憶部）１５と、アンテナ１６と、表示側インターフェース部（ＤＰＩＦ部）１７とを備える。
【００３２】
ステレオカメラ１１は、ＤＰ制御処理部１４に接続され、ＤＰ制御処理部１４の制御に従って所定の撮像対象を撮像して一対の画像（画像データ）を生成する装置である。後述するように本実施形態では、ユーザの所在位置は、ステレオカメラ１１で生成された一対の画像に基づいて検出されるので、前記所定の撮像対象は、表示部１２における表示面の前方の領域となる。ステレオカメラ１１は、例えば、各撮影方向が互いに略平行となるように所定の距離（基線長）だけ離間して配設された一対のカメラを備える。ステレオカメラ１１は、その生成した一対の画像をＤＰ制御処理部１４へ出力する。ステレオカメラ１１は、後述の位置処理部１４３と組むことで、表示部１２の表示面に対するユーザの所在位置を検出する位置検出部の一例を構成する。
【００３３】
表示部１２は、ＤＰ制御処理部１４に接続され、ＤＰ制御処理部１４の制御に従って表示面に所定の表示を行う装置である。表示部１２は、例えば、表示パネル、および、前記表示パネルの表示面に前記所定の表示として例えば静止画や動画等のコンテンツを表示するように、前記表示パネルをＤＰ制御処理部の制御に従って駆動する駆動回路等を備えて構成される。前記表示パネルは、例えば、液晶表示パネルや有機ＥＬパネルやプラズマパネル等である。
【００３４】
通信ＩＦ部１３は、ＤＰ制御処理部１４に接続され、ＤＰ制御処理部１４の制御に従ってリモートコントローラＲＤで受け付けたユーザによる操作を受信する通信回路である。通信ＩＦ部１３は、リモートコントローラＲＤから通信信号を受信し、この受信した通信信号からデータを取り出し、この取り出したデータをＤＰ制御処理部１４が処理可能な形式のデータに変換してＤＰ制御処理部１４へ出力する。通信ＩＦ部１３は、ＤＰ制御処理部１４から入力された送信すべきデータを収容した通信信号を、この通信で用いられる通信プロトコルに従って生成し、この生成した通信信号をリモートコントローラＲＤへ送信する。通信ＩＦ部１３は、例えば、Ｂｌｕｅｔｏｏｔｈ（登録商標）規格を用いたインターフェース回路、および、ＩｒＤＡ規格等の赤外線通信を行うインターフェース回路等である。通信ＩＦ部１３は、ユーザによる操作を入力するための入力部の一例に相当する。なお、表示装置ＤＰは、ユーザによる操作を入力するための入力部の他の一例として、通信ＩＦ部１３に代え、あるいは、通信ＩＦ部１３に追加して、例えば所定の機能を割り付けた複数のスイッチ回路を備える入力回路を備えても良い。
【００３５】
ここで、リモートコントローラＲＤは、ユーザによる操作を遠隔で表示装置ＤＰに入力するための装置である。リモートコントローラＲＤは、例えば、図２に示すように、表示装置ＤＰの電源を入り切り（オンオフ）するための電源ボタン４１と、表示装置ＤＰの音量を上げ下げするための音量ボタン４２と、選局するための選局ボタン４３と、表示部１２に表示された操作対象を移動させるためのカーソルボタン４４（４４−１〜４４−４）と、表示部１２に表示された入力候補を確定して入力するための決定ボタン４５と、表示装置ＤＰにメニューを表示させるためのメニューボタン４６と、表示装置ＤＰの通信ＩＦ部１３で用いられた規格と同じ規格で通信を行う図略の通信回路と、これら各ボタン４１〜４６および前記通信回路に接続され、各ボタン４１〜４６が操作されると、その旨を収容した通信信号を前記通信回路から送信する図略の制御回路とを備える。カーソルボタン４４は、表示部１２に表示された操作対象を上方向に移動させるための上方向カーソルボタン４４−１と、表示部１２に表示された前記操作対象を下方向に移動させるための下方向カーソルボタン４４−２と、表示部１２に表示された前記操作対象を右方向に移動させるための右方向カーソルボタン４４−３と、表示部１２に表示された操作対象を左方向に移動させるための左方向カーソルボタン４４−４とを備える。
【００３６】
アンテナ１６は、ＤＰ制御処理部１４に接続され、電波を受信して受信信号を生成し、この生成した受信信号をＤＰ制御処理部１４へ出力するものである。
【００３７】
ＤＰＩＦ部１７は、ＤＰ制御処理部１４に接続され、ＤＰ制御処理部１４の制御に従って外部機器との間でデータの入出力を行う回路であり、例えば、ＲＳ−４８５規格を用いたインターフェース回路、ＵＳＢ（Ｕｎｉｖｅｒｓａｌ  Ｓｅｒｉａｌ  Ｂｕｓ）規格を用いたインターフェース回路、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、登録商標）規格を用いたインターフェース回路およびＩＥＥＥ１３９４規格を用いたインターフェース回路等である。
【００３８】
ＤＰ記憶部１５は、ＤＰ制御処理部１４に接続され、ＤＰ制御処理部１４の制御に従って各種の所定のプログラムおよび各種の所定のデータを記憶する回路である。前記各種の所定のプログラムには、例えば、表示装置ＤＰの各部を当該各部の機能に応じてそれぞれ制御するＤＰ制御プログラムや、アンテナ１６で得られた受信信号を映像信号に変換し、この映像信号の映像を表示部１２の表示面に表示するように、表示部１２を制御する映像信号生成プログラムや、ステレオカメラ１１で生成した一対の画像に基づいてユーザの所在位置（Ｕｘ、Ｕｙ、Ｕｚ）を求める位置処理プログラムや、ステレオカメラ１１で生成した一対の画像のうちの一方に基づいてユーザの大きさを求めるサイズ処理プログラムや、前記映像信号生成プログラムによって表示部１２の表示面に前記映像を表示する際に、前記位置処理プログラムで求めたユーザの所在位置（Ｕｘ、Ｕｙ、Ｕｚ）と後述の測色情報とに基づいて、前記ユーザの所在位置（Ｕｘ、Ｕｙ、Ｕｚ）から前記表示面を見た場合に予め設定された目標の見え方となるように、表示部１２の表示状態を調整する表示調整プログラムや、前記位置処理プログラムで求めたユーザの所在位置（Ｕｘ、Ｕｙ、Ｕｚ）が複数である場合に、前記複数の所在位置（Ｕｘ、Ｕｙ、Ｕｚ）から１個の位置を合成所在位置（ＣＵｘ、ＣＵｙ、ＣＵｚ）として決定する決定方法を設定する決定方法設定プログラムや、２次元測色計ＭＤからＤＰＩＦ部１７を介して測色結果を取得しこの取得した測色結果を前記測色情報としてＤＰ記憶部１５に記憶する測色情報記憶処理プログラムや、前記測色結果を得るために表示部１２の表示面に所定の色を表示する際に、ステレオカメラ１１で生成した一対の画像に基づいて求めた２次元測色計ＭＤの位置ＰＭ（ＭＤｘ、ＭＤｙ、ＭＤｚ）を表示する位置表示処理プログラム等の制御処理プログラムが含まれる。前記各種の所定のデータには、前記測色情報や前記決定方法等の各プログラムを実行する上で必要なデータ等が含まれる。ＤＰ記憶部１５は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＤＰ記憶部１５は、前記所定のプログラムの実行中に生じるデータ等を記憶するいわゆるＤＰ制御処理部１４のワーキングメモリとなるＲＡＭ（Ｒａｎｄｏｍ  Ａｃｃｅｓｓ  Ｍｅｍｏｒｙ）等を含む。そして、ＤＰ記憶部１５は、前記測色情報および前記決定方法それぞれを記憶するために、測色情報記憶部１５１および合成所在位置決定情報記憶部１５２を機能的に備える。
【００３９】
測色情報記憶部１５１は、前記測色情報を記憶するものである。前記測色情報は、例えば製造段階や出荷段階等の、ユーザが表示装置ＤＰを使用する前に、生産者等によって予め測色情報記憶部１５１に記憶される。前記測色情報は、表示部１２の前記表示面に対する複数の測色位置（ＭＤｘ、ＭＤｙ、ＭＤｚ）それぞれから前記表示面を２次元で測色した複数の測色結果に前記複数の測色位置（ＭＤｘ、ＭＤｙ、ＭＤｚ）それぞれを対応付けた情報である。前記測色情報を得る測定（測色）では、表示部１２の表示状態を調整する上で好適な予め設定された所定の画像（色度輝度調整用画像（測色情報取得用画像））が表示部１２に表示され、前記測色位置（ＭＤｘ、ＭＤｙ、ＭＤｚ）に２次元測色計ＭＤが配置され、表示部１２の表示面が２次元で測色される。そして、このような測色が前記複数の測色位置（ＭＤｘ、ＭＤｙ、ＭＤｚ）それぞれで実行される。前記測定は、例えば、図３に示すように、前記複数の測色位置（ＭＤｘ、ＭＤｙ、ＭＤｚ）に１個の２次元測色計ＭＤが順次に配置されることで実行されて良く、また例えば、前記測定は、図４に示すように、前記複数の測色位置（ＭＤｘ、ＭＤｙ、ＭＤｚ）それぞれに複数の２次元測色計ＭＤが同時に配置されることで実行されて良い。
【００４０】
より具体的には、図３および図４それぞれに示すように、表示部１２における前記表示面の中央位置（例えば前記表示面が矩形である場合に対角線の交点位置等）を通る前記表示面の法線をＭＤｚ軸とし、前記ＭＤｚ軸に直交しかつ互いに直交する水平方向および垂直方向それぞれに沿った水平線および垂直線それぞれをＭＤｘ軸およびＭＤｙ軸とするＭＤｘＭＤｙＭＤｚ直交座標系を設定した場合に、前記測色情報は、５個の第１から第５測色位置ＰＭ１〜ＰＭ５に１個の２次元測色計ＭＤが順次に配置され、あるいは、５個の第１から第５測色位置ＰＭ１〜ＰＭ５それぞれに５個の２次元測色計ＭＤ−１〜ＭＤ−５が同時に、配置され、表示部１２の表示面が２次元で測色されることで、生成される。前記測定の際に、前記色度輝度調整用画像として、前記表示面の全面に白色、原色および中間色それぞれが表示される。したがって、本実施形態では、前記測色情報は、前記複数の表示部１２の測色位置（ＭＤｘ、ＭＤｙ、ＭＤｚ）それぞれにおいて、前記表示面の全面に白色、原色および中間色それぞれを表示させて測色された測色結果を含む。前記原色は、赤色、青色および緑色を含む（すなわち、前記測色情報は、前記複数の測色位置（ＭＤｘ、ＭＤｙ、ＭＤｚ）それぞれにおいて、前記表示面の全面に赤色、青色および緑色それぞれを表示させて測色された測色結果を含む）。図３および図４それぞれに示す例では、ミリメートル単位（ｍｍ）で、第１測色位置ＰＭ１は、座標（０、０、１０００）であり、第２測色位置ＰＭ２は、座標（−７００、０、１０００）であり、第３測色位置ＰＭ３は、座標（７００、０、１５００）であり、第４測色位置ＰＭ４は、座標（−３５０、−５００、２０００）であり、そして、第５測色位置ＰＭ５は、座標（３５０、５００、２０００）である。このように前記測色情報は、前記表示面から互いに異なる距離であって水平方向および垂直方向の互いに異なる複数の測色位置それぞれで得られた複数の測色結果を含む。このような第１から第５測色位置ＰＭ１〜ＰＭ５それぞれにおいて、所定の温度（例えば室温２５℃等）の場合に、２次元測色計ＭＤによって表示部１２の前記表示面を２次元で測色した第１から第５測色結果の一例が図５〜図９それぞれに示されている。図５〜図９では、表示部１２の表示面上に、表示部１２における前記表示面の中央位置（例えば前記表示面が矩形である場合に対角線の交点位置等）を座標原点とし、互いに直交する水平線および垂直線それぞれをＤＰｘ軸およびＤＰｙ軸とするＤＰｘＤＰｙ直交座標系を設定した場合に、各測色結果は、横方向を各ＤＰｘ値とし、縦方向を各ＤＰｙ値とする２次元マトリクス状のテーブルに登録されている。なお、各ＤＰｘ値は、複数の画素数から成る第１間隔（水平）ごとに割り当てられ、各ＤＰｙ値は、複数の画素数から成る第２間隔（垂直）ごとに割り当てられている。例えば、表示部１２の表示解像度が１９２０×１０８０である場合、前記第１間隔は、６２画素であり、各ＤＰｘは、６２画素ごとに割り当てられ、前記第２間隔は、７２画素であり、各ＤＰｙは、７２画素ごとに割り当てられる。したがって、図５〜図９に示す例では、原則６２×７２を単位領域として表示部１２の表示面に��ける２次元分布が測色されている（周辺は、６１×７２）。したがって、前記測色結果は、表示部１２の前記表示面を複数に分けた複数の単位領域それぞれに対する複数の測定値を含む。そして、前記テーブルの各欄には、上段に輝度値Ｙが登録され、中段に、ｘｙ色度図における色度ｘが登録され、そして、下段に、前記ｘｙ色度図における色度ｙが登録されている。白色表示（赤Ｒ＝２５５／緑Ｇ＝２５５／青Ｂ＝２５５）した状態で、例えば、図５において、前記表示面上の位置（−７、−１５）での測色結果は、輝度Ｙが４０ｃｄ／ｍ２であり、色度ｘが０．３３０であり、色度ｙが０．３４５であり、前記表示面上の位置（０、０）での測色結果は、輝度Ｙが１００ｃｄ／ｍ２であり、色度ｘが０．３１２７であり、色度ｙが０．３２９０であり、前記表示面上の位置（−７、１５）での測色結果は、輝度Ｙが４４ｃｄ／ｍ２であり、色度ｘが０．３２９であり、色度ｙが０．３４５であり、そして、前記表示面上の位置（７、−１５）での測色結果は、輝度Ｙが３９ｃｄ／ｍ２であり、色度ｘが０．３３３であり、色度ｙが０．３４８である。これら輝度Ｙは、前記表示面の全面に白色を表示させて測色された測色結果に基づいて得られ、色度ｘ、ｙは、前記表示面の全面に赤色（Ｒ＝２５５／Ｇ＝０／Ｂ＝０）、緑色（Ｒ＝０／Ｇ＝２５５／Ｂ＝０）および青色（Ｒ＝０／Ｇ＝０／Ｂ＝２５５）それぞれを表示させて測色された各測色結果に基づいて得られる。また、白色でも、諧調を変更した中間色表示、例えば、（Ｒ＝１２８／Ｇ＝１２８／Ｂ＝１２８）、（Ｒ＝６４／Ｇ＝６４／Ｂ＝６４、（Ｒ＝３２／Ｇ＝３２／Ｂ＝３２）等を表示させて、図５〜図９に相当する測定結果が得られる。さらに、シアン（Ｒ＝０／Ｇ＝２５５／Ｂ＝２５５）、マゼンタ（Ｒ＝２５５／Ｇ＝０／Ｂ＝２５５）、イエロー（Ｒ＝２５５／Ｇ＝２５５／Ｂ＝０）等補色を表示させて、図５〜図９に相当する測定結果が得られる。さらに、任意の各種中間色、例えばダークオレンジ（Ｒ＝２５５／Ｇ＝１４０／Ｂ＝０）、ライトピンク（Ｒ＝２５５／Ｇ＝１８２／Ｂ＝１９３）等の中間色を表示して、図５〜図９に相当する測定結果が得られる。そして、これを元に、単色の場合と同様に、測色情報に反映させる。なお、上述のように設定されたＭＤｘＭＤｙＭＤｚ直交座標系およびＤＰｘＤＰｙ直交座標系では、ＭＤｘ軸とＤＰｘ軸とは、互いに一致させ、ＭＤｙ軸とＤＰｙ軸とは、互いに一致させている（ＭＤｘ＝ＤＰｘ、ＭＤｙ＝ＤＰｙ）。
【００４１】
そして、測色情報記憶部１５１には、このような各測色結果を登録した各テーブルがその測色位置（ＭＤｘ、ＭＤｙ、ＭＤｚ）に対応付けられて記憶される。
【００４２】
なお、上述では、測色位置は、５個箇所であるが、これに限定されるものではなく、例えば表示部１２の視野角や表示装置ＤＰの仕様等に応じて適宜な個数に設定される。また、上述では、表示部１２の測色における領域数は、表示部１２の表示面を、横方向に３１分割するとともに縦方向に１５分割（３１×１５分割）した４６５個であるが、前記領域数は、これに限定されるものではなく、例えば表示部１２の視野角や表示装置ＤＰの仕様等に応じて適宜な個数に設定される。
【００４３】
合成所在位置決定情報記憶部１５２は、前記決定方法を記憶するものである。本実施形態では、合成所在位置決定情報記憶部１５２は、互いに異なる複数の決定方法を予め記憶し、これら複数の決定方法のうち、後述のようにユーザによって選定された決定方法が後述の表示調整部１４５で用いる決定方法として設定される。前記複数の決定方法は、中央重点法、位置平均法、最遠距離法、最近距離法、大人優先法および子供優先法のうちの少なくとも２つを含む。本実施形態では、合成所在位置決定情報記憶部１５２は、中央重点法、位置平均法、最遠距離法、最近距離法、大人優先法および子供優先法を前記決定方法として予め記憶している。
【００４４】
前記中央重点法は、後述の位置処理部１４３で求めた複数の所在位置（Ｕｘ、Ｕｙ、Ｕｚ）のうち、中央の所在位置（Ｕｘ−ｃｅｎ、Ｕｙ−ｃｅｎ、Ｕｚ−ｃｅｎ）を前記合成所在位置（ＣＵｘ、ＣＵｙ、ＣＵｚ）とする方法である（ＣＵｘ＝Ｕｘ−ｃｅｎ、ＣＵｙ＝Ｕｙ−ｃｅｎ、ＣＵｚ＝Ｕｚ−ｃｅｎ）。前記位置平均法は、位置処理部１４３で求めた複数の所在位置（Ｕｘ、Ｕｙ、Ｕｚ）を平均した位置（Ｕｘ−ａｖｅ、Ｕｙ−ａｖｅ、Ｕｚ−ａｖｅ）を前記合成所在位置（ＣＵｘ、ＣＵｙ、ＣＵｚ）とする方法である（ＣＵｘ＝Ｕｘ−ａｖｅ、ＣＵｙ＝Ｕｙ−ａｖｅ、ＣＵｚ＝Ｕｚ−ａｖｅ）。前記最遠距離法は、位置処理部１４３で求めた複数の所在位置（Ｕｘ、Ｕｙ、Ｕｚ）のうち、最も遠い所在位置（Ｕｘ−ｆａｒ、Ｕｙ−ｆａｒ、Ｕｚ−ｆａｒ）を前記合成所在位置（ＣＵｘ、ＣＵｙ、ＣＵｚ）とする方法である（ＣＵｘ＝Ｕｘ−ｆａｒ、ＣＵｙ＝Ｕｙ−ｆａｒ、ＣＵｚ＝Ｕｚ−ｆａｒ）。前記最近距離法は、位置処理部１４３で求めた複数の所在位置（Ｕｘ、Ｕｙ、Ｕｚ）のうち、最も近い所在位置（Ｕｘ−ｎｅａ、Ｕｙ−ｎｅａ、Ｕｚ−ｎｅａ）を前記合成所在位置（ＣＵｘ、ＣＵｙ、ＣＵｚ）とする方法である（ＣＵｘ＝Ｕｘ−ｎｅａ、ＣＵｙ＝Ｕｙ−ｎｅａ、ＣＵｚ＝Ｕｚ−ｎｅａ）。前記大人優先法は、位置処理部１４３で求めた複数の所在位置（Ｕｘ、Ｕｙ、Ｕｚ）のうち、最も大きなユーザの所在位置（Ｕｘ−ｔａｌ、Ｕｙ−ｔａｌ、Ｕｚ−ｔａｌ）を前記合成所在位置（ＣＵｘ、ＣＵｙ、ＣＵｚ）とする方法である（ＣＵｘ＝Ｕｘ−ｔａｌ、ＣＵｙ＝Ｕｙ−ｔａｌ、ＣＵｚ＝Ｕｚ−ｔａｌ）。前記子供優先法は、位置処理部１４３で求めた複数の所在位置（Ｕｘ、Ｕｙ、Ｕｚ）のうち、最も小さなユーザの所在位置（Ｕｘ−ｓｈｏ、Ｕｙ−ｓｈｏ、Ｕｚ−ｓｈｏ）を前記合成所在位置（ＣＵｘ、ＣＵｙ、ＣＵｚ）とする方法である（ＣＵｘ＝Ｕｘ−ｓｈｏ、ＣＵｙ＝Ｕｙ−ｓｈｏ、ＣＵｚ＝Ｕｚ−ｓｈｏ）。
【００４５】
図２に戻って、ＤＰ制御処理部１４は、表示装置ＤＰの各部を当該各部の機能に応じてそれぞれ制御し、表示部１２の表示面に所定の表示を行う際に、前記ユーザの所在位置（Ｕｘ、Ｕｙ、Ｕｚ）から前記表示面を見た場合に。予め設定された目標の見え方となるように、前記表示部１２の表示状態を調整する回路である。ＤＰ制御処理部１４は、例えば、ＣＰＵ（Ｃｅｎｔｒａｌ  Ｐｒｏｃｅｓｓｉｎｇ  Ｕｎｉｔ）（またはＦＰＧＡ（ｆｉｅｌｄ  ｐｒｏｇｒａｍｍａｂｌｅ  ｇａｔｅ  ａｒａｙ））およびその周辺回路を備えて構成される。ＤＰ制御処理部１４は、前記制御処理プログラムが実行されることによって、表示側制御部（ＤＰ制御部）１４１、映像信号生成部１４２、位置処理部１４３、サイズ処理部１４４、表示調整部１４５、決定方法設定部１４６、測色情報記憶処理部１４７および位置表示処理部１４８を機能的に備える。
【００４６】
ＤＰ制御部１４１は、表示装置ＤＰの各部を当該各部の機能に応じてそれぞれ制御し、表示装置ＤＰの全体制御を司るものである。
【００４７】
映像信号生成部１４２は、アンテナ１６で得られた受信信号を映像信号に変換し、この映像信号の映像を表示部１２の表示面に表示するように、表示部１２を制御するものである。なお、映像信号生成部１４２は、ネットワークを介してダウンロードしたコンテンツや、記録媒体から読み込んだコンテンツや、ＤＰ記憶部１５に記憶されたコンテンツ等を表示部１２の表示面に表示するように、表示部１２を制御しても良い。
【００４８】
位置処理部１４３は、ステレオカメラ１１で生成した一対の画像に基づいて前記ユーザの所在位置を求めるものである。より具体的には、位置処理部１４３は、ステレオカメラ１１の一方で得られた画像から、例えば予め用意された人物モデルのパターンマッチングによって、あるいは、人物検出用に学習したニューラルネットワークによって、人物領域（ユーザを写した画像領域）を検出し、この検出した人物領域内における所定点の方向（Ｕｘ、Ｕｙ）を求め、ステレオカメラ１１で得られた一対の画像から前記人物領域内の前記所定点に対する視差を求め、この求めた視差から三角測量の原理によって前記人物領域までの距離（Ｕｚ）を求め、これによってユーザの所在位置（Ｕｘ、Ｕｙ、Ｕｚ）を検出する。前記所定点は、前記人物領域内であれば任意の位置の点であって良く、例えば、前記人物領域の重心位置であって良く、また例えば、前記人物領域における頭部部分の重心位置であって良く、また例えば、前記人物領域に外接する矩形における各対角線の交点であって良い。これによれば、ユーザの大きさを考慮して前記ユーザの所在位置（Ｕｘ、Ｕｙ、Ｕｚ）を求めることができ、より適切に前記ユーザの所在位置（Ｕｘ、Ｕｙ、Ｕｚ）を求めることができる。
【００４９】
サイズ処理部１４４は、前記ステレオカメラで生成した一対の画像のうちの一方に基づいて前記ユーザの大きさを求めるものである。より具体的には、表示装置ＤＰの表示面から対象物までの距離別に、１画素に写り込んだ被写体の実際の長さ（１画素当たりの実長）がＤＰ記憶部１５に前記所定のデータの１つとして予め記憶されており、サイズ処理部１４４は、位置処理部１４３で検出した前記人物領域の大きさに、前記人物領域までの距離に応じた前記１画素当たりの実長を乗じることで前記ユーザの大きさを求める。より詳しくは、サイズ処理部１４４は、位置処理部１４３で検出した前記人物領域における長尺方向の画素数に、前記人物領域までの距離に応じた前記１画素当たりの実長を乗じることで前記ユーザの身長を求める。
【００５０】
表示調整部１４５は、位置処理部１４３で求めたユーザの所在位置（Ｕｘ、Ｕｙ、Ｕｚ）と測色情報記憶部１５１に記憶された測色情報とに基づいて、前記ユーザの所在位置（Ｕｘ、Ｕｙ、Ｕｚ）から表示部１２の前記表示面を見た場合に予め設定された目標の見え方となるように、表示部１２の表示状態（表示出力）を調整する。前記表示状態（表示出力）は、輝度および色度のうちの少なくとも一方である。本実施形態では、前記測色情報は、輝度Ｙおよび色度ｘ、ｙを含むので、前記表示状態（表示出力）は、輝度および色度の両方であるが（すなわち、輝度Ｙおよび色度ｘ、ｙの両方が調整される）、前記測色情報が輝度Ｙのみである場合には、前記表示状態（表示出力）は、輝度Ｙのみであって良く（すなわち、輝度Ｙのみが調整される）、また、前記測色情報が色度ｘ、ｙのみである場合には、前記表示状態（表示出力）は、色度ｘ、ｙのみであって良い（すなわち、色度ｘ、ｙのみが調整される）。
【００５１】
前記目標の見え方は、予め定義された所定の見え方であって良く、好ましくは、前記目標の見え方は、表示部１２における表示面の中央位置を通る前記表示面の法線上から前記表示面の前記中央位置を見た場合における見え方（正常な見え方）であって良い。本実施形態では、前記目標の見え方は、表示部１２の表示面における、ユーザの所在位置（Ｕｘ、Ｕｙ、Ｕｚ）を通る前記表示面の法線を含む所定広さの領域（例えばユーザが法線方向に対してＦＯＶ（Ｆｉｅｌｄ  ｏｆ  Ｖｉｅｗ）５°以内で見る領域等）を前記法線上から見た場合における見え方（ユーザの所在位置での見え方）である。
【００５２】
より具体的には、表示調整部１４５は、測色情報記憶部１５１に記憶された測色情報から位置処理部１４３で求めたユーザの所在位置（Ｕｘ、Ｕｙ、Ｕｚ）に応じた測色結果を取り出し、この取り出した測色結果と前記目標の見え方との差を補償するように表示部１２における各画素の出力を調整することで、表示部１２の表示状態を調整する。例えば、所在位置（Ｕｘ、Ｕｙ、Ｕｚ）のＵｘＵｙＵｚ直交座標系およびＭＤｘＭＤｙＭＤｚ直交座標系が互いに一致する場合に、表示調整部１４５は、測色情報記憶部１５１に記憶された測色情報から、位置処理部１４３で求めたユーザの所在位置（Ｕｘ、Ｕｙ、Ｕｚ）を測定位置（ＭＤｘ、ＭＤｙ、ＭＤｚ）とする測色結果（ＭＤｘ＝Ｕｘ、ＭＤｙ＝Ｕｙ、ＭＤｚ＝Ｕｚの測色結果）を取り出す。図５〜図９に示す例では、輝度Ｙおよび色度ｘ、ｙの各値は、表示部１２における表示面上の位置に応じた値であるので、前記取り出した測色結果と前記目標の見え方との差（調整値）は、表示部１２における表示面上の位置に応じた値となり、表示調整部１４５は、表示部１２における前記表示面上の位置に応じた調整値で、表示部１２の表示状態を調整する。より具体的には、表示調整部１４５は、表示部１２における各画素ごとに、前記取り出した測色結果と前記目標の見え方との差を補償するように前記表示面上の位置に応じた調整値をそれぞれ生成し、この生成した各調整値で表示部１２における各画素の出力を調整することで、表示部１２の表示状態を調整する。例えば、図５に示す例において、ユーザが座標（０、０、１０００）に所在する場合には、座標（０、０）の測定結果（輝度Ｙ＝１００ｃｄ／ｍ２、色度ｘ＝０．３１２７、色度ｙ＝０．３２９０）が前記目標の見え方となり、表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、表示部１２の表示状態が調整される。例えば、座標（−７、−１５）の領域では、その測定結果（輝度Ｙ＝４０ｃｄ／ｍ２、色度ｘ＝０．３３０、色度ｙ＝０．３４５）と目標の見え方（輝度Ｙ＝１００ｃｄ／ｍ２、色度ｘ＝０．３１２７、色度ｙ＝０．３２９０）との差が求められ、この差を調整値として、表示部１２の表示状態が調整される（例えば、輝度Ｙは、その差６０ｃｄ／ｍ２を補償するようにアップされる。すなわち、輝度Ｙは、２．５倍される）。
【００５３】
そして、本実施形態では、表示調整部１４５は、位置処理部１４３で複数のユーザによる複数の所在位置（Ｕｘ、Ｕｙ、Ｕｚ）を検出した場合、これら検出した複数の所在位置（Ｕｘ、Ｕｙ、Ｕｚ）から合成所在位置決定情報記憶部１５２に記憶された決定方法に従って合成所在位置（ＣＵｘ、ＣＵｙ、ＣＵｚ）を求め、この求めた合成所在位置（ＣＵｘ、ＣＵｙ、ＣＵｚ）と測色情報記憶部１５１に記憶された測色情報とに基づいて、前記合成所在位置（ＣＵｘ、ＣＵｙ、ＣＵｚ）から前記表示面を見た場合に予め設定された目標の見え方となるように、表示部１２の表示状態（表示出力）を調整する。この場合では、前記目標の見え方は、表示部１２の表示面における、合成所在位置（ＣＵｘ、ＣＵｙ、ＣＵｚ）を通る前記表示面の法線を含む所定広さの領域（例えばユーザが法線方向に対してＦＯＶ（Ｆｉｅｌｄ  ｏｆ  Ｖｉｅｗ）５°以内で見る領域等）を前記法線上から見た場合における見え方（合成所在位置での見え方）であって良い。より具体的には、表示調整部１４５は、位置処理部１４３で複数のユーザによる複数の所在位置（Ｕｘ、Ｕｙ、Ｕｚ）を検出した場合、これら検出した複数の所在位置（Ｕｘ、Ｕｙ、Ｕｚ）から合成所在位置決定情報記憶部１５２に記憶された決定方法に従って合成所在位置（ＣＵｘ、ＣＵｙ、ＣＵｚ）を求め、測色情報記憶部１５１に記憶された測色情報からこの求めた合成所在位置（ＣＵｘ、ＣＵｙ、ＣＵｚ）に応じた測色結果を取り出し、この取り出した測色結果と前記目標の見え方との差を補償するように表示部１２における各画素の出力を調整することで、表示部１２の表示状態を調整する。より詳しくは、本実施形態では、表示調整部１４５は、位置処理部１４３で複数のユーザによる複数の所在位置（Ｕｘ、Ｕｙ、Ｕｚ）を検出した場合、これら検出した複数の所在位置から合成所在位置決定情報記憶部１５２に記憶された決定方法に従って合成所在位置（ＣＵｘ、ＣＵｙ、ＣＵｚ）を求め、測色情報記憶部１５１に記憶された測色情報からこの求めた合成所在位置（ＣＵｘ、ＣＵｙ、ＣＵｚ）に応じた測色結果を取り出し、表示部１２における各画素ごとに、この取り出した測色結果と前記目標の見え方との差を補償するように前記表示面上の位置に応じた調整値をそれぞれ生成し、この生成した各調整値で表示部１２における各画素の出力を調整することで、表示部１２の表示状態を調整する。すなわち、表示調整部１４５は、位置処理部１４３で複数のユーザによる複数の所在位置（Ｕｘ、Ｕｙ、Ｕｚ）を検出した場合、位置処理部１４３で一人のユーザを検出した場合における上述のユーザの所在位置（Ｕｘ、Ｕｙ、Ｕｚ）に代えて合成所在位置（ＣＵｘ、ＣＵｙ、ＣＵｚ）を用いて表示部１２の表示状態を調整する。
【００５４】
なお、表示調整部１４５は、測色情報記憶部１５１に記憶された測色情報に、位置処理部１４３で求めたユーザの所在位置（Ｕｘ、Ｕｙ、Ｕｚ）やその合成所在位置（ＣＵｘ、ＣＵｙ、ＣＵｚ）に当たる測色結果が無い場合に、測色情報記憶部１５１に記憶された測色情報から前記ユーザの所在位置（Ｕｘ、Ｕｙ、Ｕｚ）やその合成所在位置（ＣＵｘ、ＣＵｙ、ＣＵｚ）に近い順に選択した複数（例えば４個や１２個等）の測色位置に対応する複数の測色結果に基づいて、補間（例えば線形補間やスプライン補間やラグランジュ補間等）によって、前記ユーザの所在位置（Ｕｘ、Ｕｙ、Ｕｚ）やその合成所在位置（ＣＵｘ、ＣＵｙ、ＣＵｚ）に応じた前記測色結果を生成して良い。前記補間のための測色位置の選択数は、２次元であるので、上下左右の最低４個であり、さらにその外側を用いる場合には１２個となる。好ましくは、さらにその外側も用いる場合には、前記選択数は、１００個程度となる。
【００５５】
決定方法設定部１４６は、合成所在位置決定情報記憶部１５２に記憶した前記複数の決定方法を表示部１２に表示し、表示部１２に表示した前記複数の決定方法のうちの１つを、リモートコントローラＲＤおよび通信ＩＦ部１３を介してユーザにより入力された操作に基づいて選定し、この選定した決定方法を表示調整部１４５で用いる決定方法として設定するものである。例えば、決定方法設定部１４６は、前記選定した決定方法にフラグなどの所定の符号を付与することで、前記選定した決定方法を表示調整部１４５で用いる決定方法として設定する。
【００５６】
測色情報記憶処理部１４７は、２次元測色計ＭＤからＤＰＩＦ部１７で取得した前記測色結果を前記測色情報として測色情報記憶部１５１に記憶するものである。なお、２次元測色計ＭＤで測定した前記測色結果は、例えば、図略のキーボードから表示装置ＤＰに入力され、測色情報記憶部１５１に記憶されて良く、また例えば、ＵＳＢメモリ等の記録媒体に保存され、この記録媒体からＤＰＩＦ部１７を介して表示装置ＤＰに入力され、測色情報記憶部１５１に記憶されて良く、また例えば、ＰＲＯＭ（Ｐｒｏｇｒａｍｍａｂｌｅ  ＲＯＭ）やＥＰＲＯＭ（Ｅｒａｓａｂｌｅ  Ｐｒｏｇｒａｍｍａｂｌｅ  ＲＯＭ）にデータを書き込むためのＲＯＭライタ等を用いて測色情報記憶部１５１に記憶されて良い。
【００５７】
位置表示処理部１４８は、ステレオカメラ１１で生成した一対の画像に基づいて２次元測色計ＭＤの位置を前記測色位置として測定し、前記測色結果を得るために前記表示面に所定の色を表示する際に、この測定した２次元測色計ＭＤの位置を表示するものである。より具体的には、位置表示処理部１４８は、ステレオカメラ１１で生成した一対の画像のうちの一方から例えばエッジ検出等によって２次元測色計ＭＤを検出し、この検出した２次元測色計ＭＤの方向（ＭＤｘ、ＭＤｙ）を求め、ステレオカメラ１１で得られた一対の画像から前記２次元測色計ＭＤに関する視差を求め、この求めた視差から三角測量の原理によって前記２次元測色計ＭＤまでの距離（ＭＤｚ）を求め、これによって２次元測色計ＭＤの位置ＰＭ（ＭＤｘ、ＭＤｙ、ＭＤｚ）を検出する。そして、位置表示処理部１４８は、前記測色結果を得るために前記表示面に所定の色を表示する際に、この測定した２次元測色計ＭＤの位置ＰＭ（ＭＤｘ、ＭＤｙ、ＭＤｚ）を表示する。
【００５８】
次に、２次元測色計ＭＤの構成について説明する。前記表示システムＤＳにおける２次元測色計ＭＤは、測定対象を２次元で測色する装置であり、ユーザの所在位置（Ｕｘ、Ｕｙ、Ｕｚ）での表示部１２の見え方を解析するための装置である。このような２次元測色計ＭＤは、例えば、図１０に示すように、２次元測定部２１と、測色側制御処理部（ＭＤ制御処理部）２２と、測色側インターフェース部（ＭＤＩＦ部）２３と、測色側記憶部（ＭＤ記憶部）２４とを備える。
【００５９】
２次元測定部２１は、ＭＤ制御処理部２２に接続され、ＭＤ制御処理部２２の制御に従って測定対象としての表示装置ＤＰにおける色度、輝度等の測色情報を２次元で測定する装置である。２次元測色計ＭＤが２次元色彩計である場合には、例えば、２次元測定部２１は、表示部１２におけるＲＧＢの各成分を２次元で測定するための光学フィルタおよびエリアイメージセンサ等を備え、表示部１２の表示面における色に応じた測色情報をＭＤ制御処理部２２へ出力する。
【００６０】
ＭＤＩＦ部２３は、測定結果を外部の機器へ出力するために、ＭＤ制御処理部２２に接続され、ＭＤ制御処理部２２の制御に従って外部機器との間でデータの入出力を行う回路であり、例えば、ＲＳ−４８５規格を用いたインターフェース回路、および、ＵＳＢ規格を用いたインターフェース回路等である。
【００６１】
ＭＤ記憶部２４は、ＭＤ制御処理部２２に接続され、ＭＤ制御処理部２２の制御に従って各種の所定のプログラムおよび各種の所定のデータを記憶する回路である。前記各種の所定のプログラムには、例えば、２次元測色計ＭＤの各部を当該各部の機能に応じてそれぞれ制御し、２次元測定部２１で得られた測色情報に基づいて２次元色分布の三刺激値ＸＹＺ（測色結果）を求めるＭＤ制御プログラムや、表示部１２の表示面に表示された２次元測色計ＭＤの位置を前記測色位置として取得し、この取得した２次元測色計ＭＤの位置を対応付けて前記測定結果をＭＤＩＦ部２３から出力する測色位置取得出力プログラム等の制御処理プログラムが含まれる。前記各種の所定のデータには、各プログラムを実行する上で必要なデータ等が含まれる。ＭＤ記憶部２４は、例えばＲＯＭ、ＥＥＰＲＯＭおよびＲＡＭ等を含む。
【００６２】
ＭＤ制御処理部２２は、２次元測色計ＭＤの各部を当該各部の機能に応じてそれぞれ制御し、測定対象を２次元で測色する回路である。ＭＤ制御処理部２２は、例えば、ＣＰＵおよびその周辺回路を備えて構成される。ＭＤ制御処理部２２は、前記制御処理プログラムが実行されることによって、測色側制御部（ＭＤ制御部）２２１および測色位置取得出力処理部２２２を機能的に備える。
【００６３】
ＭＤ制御部２２１は、２次元測色計ＭＤの各部を当該各部の機能に応じてそれぞれ制御し、２次元測定部２１で得られた測色情報に基づいて２次元色分布の三刺激値ＸＹＺ（測色結果）を求めるものである。２次元測定部２１およびＭＤ制御部２２１から、測定対象を２次元で測色する２次元測色部の一例が構成される。
【００６４】
測色位置取得出力処理部２２２は、表示部１２の表示面に表示された２次元測色計ＭＤの位置を前記測色位置として取得し、この取得した２次元測色計ＭＤの位置を対応付けて前記測色結果をＭＤＩＦ部２３から出力するものである。より具体的には、測色位置取得出力処理部２２２は、２次元測定部２１によって取得した表示部１２の画像から、公知の文字認識技術によって、表示部１２の表示面に表示された２次元測色計ＭＤの位置を前記測色位置として取得し、この取得した２次元測色計ＭＤの位置を対応付けて前記測色結果をＭＤＩＦ部２３から出力する。２次元測定部２１は、通常、上述のようにエリアイメージセンサを備えるので、表示部１２の画像を取得できる。
【００６５】
なお、上述の２次元測色計ＭＤは、３刺激値を２次元分布で測定する２次元色彩計であるが、これに限定されるものではなく、他のタイプの２次元色彩計であっても良い。例えば、２次元測色計ＭＤは、表示装置ＤＰからの光を回折格子で分光し、この分光をリニアイメージセンサで受光し、前記表示装置ＤＰを一方向に走査することで、前記リニアイメージセンサから出力される１次元分光データから表示装置ＤＰの２次元色分布を計測する分光型２次元測色計であって良い。また例えば、２次元測色計ＭＤは、表示装置ＤＰからの光を光学フィルタを介して受光素子で受光し、前記表示装置ＤＰを例えばラスタースキャンのように２次元で走査することで、前記受光素子から出力される点データから表示装置ＤＰの２次元色分布を計測する２次元測色計であって良い。このような２次元測色計のタイプに応じて２次元測色部２１およびＭＤ制御処理部２２が構成される。
【００６６】
次に、本実施形態の動作について説明する。図１１は、実施形態の表示システムにおける表示装置の表示部に表示される一例の画像を説明するための図である。図１２は、実施形態の表示システムにおける表示装置の表示状態の調整に関する設定の動作を示すフローチャートである。図１３は、実施形態の表示システムにおける表示装置の表示部に表示される、表示状態の調整に関する一例の設定画面を説明するための図である。図１４は、実施形態の表示システムにおける表示装置の表示状態の調整に関する動作を示すフローチャートである。図１５は、実施形態の表示システムにおける表示装置の前方に１人のユーザが所在している状況を説明するための図である。図１６は、実施形態の表示システムにおける表示装置の前方に複数人のユーザが所在している状況を説明するための図である。
【００６７】
（表示装置の２次元測色処理）
まず、表示装置ＤＰを２次元測色計ＭＤで測定し、その測定結果を測色情報として測色情報記憶部１５１に記憶する測色処理について説明する。
【００６８】
表示装置ＤＰにおける図略の電源スイッチがオンされると、ＤＰ制御処理部１４は、必要な各部の初期化を実行し、制御処理プログラムの実行によって、ＤＰ制御処理部１４には、ＤＰ制御部１４１、映像信号生成部１４２、位置処理部１４３、サイズ処理部１４４、表示調整部１４５、決定方法設定部１４６、測色情報記憶処理部１４７、位置表示処理部１４８が機能的に構成される。同様に、２次元測色計ＭＤにおける図略の電源スイッチがオンされると、必要な各部の初期化を実行し、制御処理プログラムの実行によって、ＭＤ制御処理部２２には、ＭＤ制御部２２１および測色位置取得出力処理部２２２が機能的に構成される。
【００６９】
この測色処理では、まず、例えば、図３に示すように、第１測色位置ＰＭ１に２次元測色計ＭＤが配置される。次に、表示装置ＤＰは、ＤＰ制御処理部１４の位置表示処理部１４８によって、ステレオカメラ１１で生成した一対の画像に基づいて２次元測色計ＭＤの位置（ＭＤｘ、ＭＤｙ、ＭＤｚ）を前記測色位置として測定する。そして、表示装置ＤＰは、ＤＰ制御処理部１４の位置表示処理部１４８によって、例えば、図１１に示すように、前記測色結果を得るために前記表示面に所定の色を表示する際に、この測定した２次元測色計ＭＤの位置（ＭＤｘ、ＭＤｙ、ＭＤｚ）を表示する。図１１に示す例では、表示部１２には、２次元測色計ＭＤの位置ＰＭとして、ＭＤｘ＝０、ＭＤｙ＝０、ＭＤｚ＝１０００が表示されている。また図１１には、２次元測色計ＭＤを表示部１２の表示面上に正射影した場合における２次元測色計ＭＤの影が破線で示されている。
【００７０】
一方、２次元測色計ＭＤは、まず、２次元測定部２１によって、図１１のように表示されている表示装置ＤＰの表示部１２を撮像して画像を生成する。そして、２次元測色計ＭＤは、ＭＤ制御処理部２２の測色位置取得出力処理部２２２によって、前記生成された表示部１２の画像から、ＯＣＲ等の公知の文字認識技術によって、表示部１２の表示面に表示された２次元測色計ＭＤの位置（ＭＤｘ、ＭＤｙ、ＭＤｚ）を前記測色位置として求める（図１１に示す例では、ＭＤｘ＝０、ＭＤｙ＝０、ＭＤｚ＝１０００）。さらに、２次元測色計ＭＤは、ＭＤ制御処理部２２によって、前記生成された表示部１２の画像から測色結果を求める。そして、２次元測色計ＭＤは、これら求めた測色位置および測色結果に基づいて、２次元測色計ＭＤの位置（ＭＤｘ、ＭＤｙ、ＭＤｚ）を前記測色結果に対応付けてこれらをＭＤＩＦ部２３から表示装置ＤＰへ出力する。
【００７１】
そして、表示装置ＤＰは、ＤＰ制御処理部１４の測色情報記憶処理部１４７によって、２次元測色計ＭＤからＤＰＩＦ部１７で取得した２次元測色計ＭＤの位置付き前記測色結果を前記測色情報として測色情報記憶部１５１に記憶する。なお、２次元測色計ＭＤと表示装置ＤＰとは、無線で接続されて良く、また、ケーブルＣを介して互いに接続されて良い。
【００７２】
そして、このような第１測色位置ＰＭ１で実施された各処理が第２から第５測色位置ＰＭ２〜ＰＭ５それぞれで順次に実施され、第１から第５測色位置ＰＭ１〜ＰＭ５に関する測色情報が測色情報記憶部１５１に記憶される。
【００７３】
また、測色処理における時間の短縮化やその労力の低減化を図るために、例えば、図４に示すように、５個の第１から第５測色位置ＰＭ１〜ＰＭ５それぞれに５個の２次元測色計ＭＤ−１〜ＭＤ−５が同時に、配置され、上述の各処理が実施されて良い。なお、この場合では、２次元測色計ＭＤは、自機を特定し他の２次元測色装置ＭＤから識別するための識別子である測色計識別子（測色計ＩＤ）をＭＤ記憶部２４に予め記憶し、表示装置ＤＰのＤＰ記憶部１５には、２次元測色計ＭＤのおおよその位置と測色計ＩＤとを対応付けて予め記憶しておく。例えば、表示装置ＤＰにおける位置の検出範囲が複数の領域に分割され、測色計ＩＤは、その該当する領域に割り付けて予め記憶される。そして、表示装置ＤＰは、２次元測色計ＭＤの位置を検出し、この検出した位置に対応する測色計ＩＤを選択し、前記検出した２次元測色計ＭＤの位置と前記選択した測色計ＩＤを表示し、２次元測色計ＭＤは、表示部１２の表示面に表示された２次元測色計ＭＤの前記位置をその測色位置として取得する際に、自機の測色計ＩＤに対応する２次元測色計ＭＤの前記位置を取得する。
【００７４】
表示装置ＤＰは、このような測色処理が実施された後に、出荷される。
【００７５】
（表示調整の設定処理）
次に、表示調整の設定処理について説明する。ユーザによって表示装置ＤＰにおける図略の電源スイッチがオンされると、ＤＰ制御処理部１４は、必要な各部の初期化を実行し、制御処理プログラムの実行によって、ＤＰ制御処理部１４には、ＤＰ制御部１４１、映像信号生成部１４２、位置処理部１４３、サイズ処理部１４４、表示調整部１４５、決定方法設定部１４６、測色情報記憶処理部１４７、位置表示処理部１４８が機能的に構成される。
【００７６】
図１２において、表示装置ＤＰは、ＤＰ制御処理部１４によって、リモートコントローラＲＤの通信信号を通信ＩＦ部１３で受信したか否かを判定する（Ｓ１１）。この判定の結果、通信信号を受信していない場合（Ｎｏ）には、ＤＰ制御処理部１４は、処理を処理Ｓ１１に戻し、前記判定の結果、通信信号を受信している場合（Ｙｅｓ）には、ＤＰ制御処理部１４は、次の処理Ｓ１２を実行する。したがって、ＤＰ制御処理部１４は、前記通信信号を受信するまで処理Ｓ１１を繰り返す。
【００７７】
ユーザは、表示装置ＤＰを設定するために、リモートコントローラＲＤのメニューボタン４６を操作する。リモートコントローラＲＤは、メニューボタン４６の操作を受け付けると、メニューを表示させる命令（指令、コマンド）を収容した通信信号（メニュー表示指令通信信号）を送信する。この通信信号を受信すると、表示装置ＤＰは、処理Ｓ１１により、次の処理Ｓ１２を実行する。
【００７８】
この処理Ｓ１２では、表示装置ＤＰは、ＤＰ制御処理部１４によって、メニューが選択されたか否かを判定する。より具体的には、ＤＰ制御処理部１４は、処理Ｓ１１で受信した通信信号がメニュー表示指令通信信号であるか否かを判定する。この判定の結果、前記通信信号がメニュー表示指令通信信号ではない場合（Ｎｏ）には、ＤＰ制御処理部１４は、前記通信信号に収容されたデータに応じた適宜な処理を実行し（Ｓ３１）、次に、後述の処理Ｓ２１を実行する。前記判定の結果、前記通信信号がメニュー表示指令通信信号である場合（Ｙｅｓ）には、ＤＰ制御処理部１４は、表示部１２に所定のメニュー画面を表示し（Ｓ１３）、次に、処理Ｓ１４を実行する。前記所定のメニュー画面には、見え方の補正を設定するための見え方補正項目等、所定の複数のメニュー項目が表示され、選択可能に構成されている。
【００７９】
この処理Ｓ１４では、ＤＰ制御処理部１４は、処理Ｓ１１と同様に、リモートコントローラＲＤの通信信号を通信ＩＦ部１３で受信したか否かを判定しており、前記通信信号を受信するまでこの処理Ｓ１４を繰り返す。
【００８０】
処理Ｓ１３でメニュー画面が表示されると、ユーザは、見え方補正項目を選択し、決定ボタン４５を操作する。リモートコントローラＲＤは、決定ボタン４５の操作を受け付けると、見え方補正の設定を行うための命令（指令、コマンド）を収容した通信信号（見え方補正設定指令通信信号）を送信する。この通信信号を受信すると、表示装置ＤＰは、処理Ｓ１４により、次の処理Ｓ１５を実行する。
【００８１】
この処理Ｓ１５では、表示装置ＤＰは、ＤＰ制御処理部１４によって、見え方補正の設定が選択されたか否かを判定する。より具体的には、ＤＰ制御処理部１４は、処理Ｓ１４で受信した通信信号が見え方補正設定指令通信信号であるか否かを判定する。この判定の結果、前記通信信号が見え方補正設定指令通信信号ではない場合（Ｎｏ）には、ＤＰ制御処理部１４は、前記通信信号に収容されたデータに応じた適宜な処理を実行し（Ｓ４１）、次に、後述の処理Ｓ２１を実行する。前記判定の結果、前記通信信号が見え方補正設定指令通信信号である場合（Ｙｅｓ）には、ＤＰ制御処理部１４は、決定方法設定部１４６によって、表示部１２に所定の見え方補正設定画面を表示し（Ｓ１６）、次に、処理Ｓ１７を実行する。
【００８２】
この見え方補正設定画面は、表示調整部１４５による表示調整を実施するか否かの設定、および、前記表示調整を実施する場合に、複数のユーザを検出した際の決定方法の設定を表示装置ＤＰに実行するための画面である。この見え方補正設定画面３０は、例えば、図１３に示すように、表示調整部１４５による表示調整を実施するか否かを設定するための補正有無設定領域３１と、複数のユーザを検出した際の決定方法を設定するための決定方法設定領域３２と、表示部１２に表示された画面を１つ前の画面に戻すための「戻る」ボタン３３とを備える。
【００８３】
補正有無設定領域３１は、表示調整部１４５による表示調整の実施を設定するための「あり」領域３１１と、表示調整部１４５による表示調整の不実施を設定するための「なし」領域３１２とを備える。決定方法設定領域３２は、決定方法を中央重点法に設定するための「中央重点」領域３２１と、決定方法を位置平均法に設定するための「位置平均」領域３２２と、決定方法を最遠距離法に設定するための「最長視聴者」領域３２３と、決定方法を最近距離法に設定するための「最短視聴者」領域３２４と、決定方法を大人優先法に設定するための「大人優先」領域３２５と、決定方法を子供優先法に設定するための「子供優先」領域３２６とを備える。これら各領域３１１、３１２、３２１〜３２６は、選択されると、例えば反転表示される。図１３では、選択されて反転表示されている領域が斜線のハッチングで示されている。
【００８４】
この処理Ｓ１７では、ＤＰ制御処理部１４は、処理Ｓ１１と同様に、リモートコントローラＲＤの通信信号を通信ＩＦ部１３で受信したか否かを判定しており、前記通信信号を受信するまでこの処理Ｓ１７を繰り返す。
【００８５】
処理Ｓ１６で見え方補正設定画面３０が表示されると、ユーザは、見え方補正設定画面３０で所望の項目を選択するために、適宜なカーソルボタン４４を操作する。リモートコントローラＲＤは、上方向カーソルボタン４４−１の操作を受け付けると、現在選択されている領域から上方向の領域の選択へ移行（シフト）させるための命令（指令、コマンド）を収容した通信信号（上方向領域シフト指令通信信号）を送信し、下方向カーソルボタン４４−２の操作を受け付けると、現在選択されている領域から下方向の領域の選択へ移行させるための命令を収容した通信信号（下方向領域シフト指令通信信号）を送信し、右方向カーソルボタン４４−３の操作を受け付けると、現在選択されている領域から右方向の領域の選択へ移行させるための命令を収容した通信信号（右方向領域シフト指令通信信号）を送信し、左方向カーソルボタン４４−４の操作を受け付けると、現在選択されている領域から左方向の領域の選択へ移行させるための命令を収容した通信信号（左方向領域シフト指令通信信号）を送信する。この通信信号を受信すると、表示装置ＤＰは、処理Ｓ１７により、次の処理Ｓ１８を実行する。
【００８６】
この処理Ｓ１８では、表示装置ＤＰは、ＤＰ制御処理部１４によって決定されたか否かを判定する。より具体的には、ＤＰ制御処理部１４は、処理Ｓ１７で受信した通信信号が決定ボタン４５の操作によって設定を決定させるための通信信号（決定指令通信信号）であるか否かを判定する。この判定の結果、前記通信信号が決定指令通信信号ではない場合には、ＤＰ制御処理部１４は、処理Ｓ２０を実行し、前記通信信号が決定指令通信信号である場合には、ＤＰ制御処理部１４は、処理Ｓ１９を実行する。
【００８７】
処理Ｓ２０では、ＤＰ制御処理部１４は、前記通信信号に収容されたデータに応じた適宜な処理を実行し、処理を処理Ｓ１６に戻す。例えば、処理Ｓ１７で受信した通信信号が上方向領域シフト指令通信信号である場合には、ＤＰ制御処理部１４は、現在選択されている領域から上方向の領域を選択し、この上方向の領域を前記選択された領域として表示部１２に表示する。
【００８８】
ユーザは、適宜なカーソルボタン４４の操作により、見え方補正設定画面３０で所望の項目を選択する。図１３に示す例では、「あり」領域３１１および「大人優先」領域３２５が選択され、前記選択された領域として反転表示されている。ユーザは、見え方補正設定画面３０で所望の項目を選択すると、決定ボタン４５を操作する。リモートコントローラＲＤは、決定ボタン４５の操作を受け付けると、決定指令通信信号を送信する。この決定指令通信信号を受信すると、表示装置ＤＰは、処理Ｓ１８により、次の処理Ｓ１９を実行する。
【００８９】
この処理Ｓ１９では、表示装置ＤＰは、決定方法設定部１４６によって見え方補正の設定処理を実行する。より具体的には、決定方法設定部１４６は、見え方補正設定画面３０で選択された内容をＤＰ記憶部１５に記憶し、設定する。より詳しくは、決定方法設定部１４６は、見え方補正設定画面３０で「なし」領域３１２が選定された場合には、表示調整部１４５による表示調整を実施しない旨をＤＰ記憶部１５に記憶する。例えば、表示調整部１４５による表示調整の実施および不実施の別を表す実施フラグ（例えば実施の場合は実施フラグ＝１であり、不実施の場合は実施フラグ＝０である）がＤＰ記憶部１５に記憶される。また、決定方法設定部１４６は、見え方補正設定画面３０で「あり」領域３１１が選定された場合には、表示調整部１４５による表示調整を実施する旨をＤＰ記憶部１５に記憶し、そして、見え方補正設定画面３０で選定された決定方法を表示調整部１４５で用いる決定方法として設定する。前記選定した決定方法にフラグなどの所定の符号が付与されて合成所在位置決定情報記憶部１５２に記憶される。図１３に示す例では、実施フラグが１とされ、大人優先法に前記所定の符号が付与される。
【００９０】
そして、これら上述の処理Ｓ１９、処理Ｓ３１、処理Ｓ４１の次に、処理Ｓ２１が実行される。この処理Ｓ２１では、表示装置ＤＰは、ＤＰ制御処理部１４によって、電源がオフされたか否かを判定する。この判定の結果、電源がオフされていない場合には、処理が処理Ｓ１１に戻され、電源がオフされている場合には、処理を終了する。
【００９１】
このような動作によって、表示調整の設定処理が実行される。このような表示調整の設定処理は、表示装置ＤＰの初期設定として表示装置ＤＰの使用前に、あるいは、表示装置ＤＰの使用中における適宜なタイミング（例えばユーザの好みのタイミング）で実施される。
【００９２】
（表示調整）
次に、表示装置ＤＰの表示状態の調整に関する動作について説明する。本実施形態における表示システムＤＳおよび表示装置ＤＰは、例えば静止画や動画等のコンテンツを表示部１２に表示する際に、表示状態の調整に関し、前記静止画を表示する場合にはその際に、また、前記動画を表示する場合には各フレームごとに、あるいは、数フレームごとに、次のように動作する。なお、ステレオカメラ１１および位置処理部１４３は、開始以降、常時、動作してモニタしている。
【００９３】
図１４において、まず、ＤＰ制御処理部１４は、ステレオカメラ１１によって一対の画像を生成し、位置処理部１４３によってユーザの所在位置（Ｕｘ、Ｕｄ、Ｕｚ）を求めて検出する（Ｓ５１）。
【００９４】
次に、ＤＰ制御処理部１４は、見え方補正の要否を判定する（Ｓ５２）。より具体的には、ＤＰ制御処理部１４は、ＤＰ記憶部１５の実施フラグを参照することで、表示調整部１４５による表示調整を実施するか否かを判定する。この判定の結果、表示調整部１４５による表示調整を実施しない場合（Ｎｏ）には、表示調整部１４５による表示調整を実施せずに、そのままコンテンツを表示部１２に表示し（Ｓ５８）、処理を終了する。一方、前記判定の結果、表示調整部１４５による表示調整を実施する場合（Ｙｅｓ）には、ＤＰ制御処理部１４は、次の処理Ｓ５３を実行する。
【００９５】
この処理Ｓ５３では、ＤＰ制御処理部１４は、処理Ｓ５１で検出したユーザの所在位置（Ｕｘ、Ｕｄ、Ｕｚ）が複数であるか否かを判定する。この判定の結果、前記ユーザの所在位置（Ｕｘ、Ｕｄ、Ｕｚ）が複数ではない場合（Ｎｏ）には、ＤＰ制御処理部１４は、処理Ｓ５５を実行する。一方、前記判定の結果、前記ユーザの所在位置（Ｕｘ、Ｕｄ、Ｕｚ）が複数である場合（Ｙｅｓ）には、ＤＰ制御処理部１４は、処理Ｓ５４を実行した後に、処理Ｓ５５を実行する。
【００９６】
例えば、図１５に示すように、表示装置ＤＰの前に一人のユーザＯｂ−ａが所在している場合には、ＤＰ制御処理部１４は、処理Ｓ５３で前記ユーザの所在位置（Ｕｘ、Ｕｙ、Ｕｚ）が複数ではないと判定し、処理Ｓ５５を実行する。また例えば、図１６に示すように、表示装置ＤＰの前に並んで三人のユーザＯｂ−ａ、Ｏｂ−ｂ、Ｏｂ−ｃが所在している場合には、ＤＰ制御処理部１４は、処理Ｓ５３で前記ユーザの所在位置（Ｕｘ、Ｕｄ、Ｕｚ）が複数であると判定し、処理Ｓ５４を実行した後に、処理Ｓ５５を実行する。図１６に示す例では、一方（紙面右）から他方（紙面左）へユーザＯｂ−ａ、ユーザＯｂ−ｂ、ユーザＯｂ−ｃが順に並んで表示装置ＤＰの前方に所在しており、この順で表示装置ＤＰから徐々に離れており、そして、この順で背丈が大きくなっている。
【００９７】
処理Ｓ５４では、ＤＰ制御処理部１４は、表示調整部１４５によって合成所在位置を求める。より具体的には、表示調整部１４５は、処理Ｓ５１で位置処理部１４３によって検出した複数の所在位置（Ｕｘ、Ｕｙ、Ｕｚ）から合成所在位置決定情報記憶部１５２に記憶された決定方法に従って合成所在位置（ＣＵｘ、ＣＵｙ、ＣＵｚ）を求める。
【００９８】
例えば、図１６に示す例において、決定方法が中央重点法に設定されている場合、三人のユーザＯｂ−ａ、Ｏｂ−ｂ、Ｏｂ−ｃにおける中央に所在するユーザＯｂ−ｂの所在位置（Ｕｘ−ｂ、Ｕｙ−ｂ、Ｕｚ−ｂ）が合成所在位置（ＣＵｘ、ＣＵｙ、ＣＵｚ）とされる（ＣＵｘ＝Ｕｘ−ｂ、ＣＵｙ＝Ｕｙ−ｂ、ＣＵｚ＝Ｕｚ−ｂ）。
【００９９】
また例えば、図１６に示す例において、決定方法が位置平均法に設定されている場合、三人のユーザＯｂ−ａ、Ｏｂ−ｂ、Ｏｂ−ｃにおける各所在位置（Ｕｘ−ａ、Ｕｙ−ａ、Ｕｚ−ａ）、（Ｕｘ−ｂ、Ｕｙ−ｂ、Ｕｚ−ｂ）、（Ｕｘ−ｃ、Ｕｙ−ｃ、Ｕｚ−ｃ）の平均値が合成所在位置（ＣＵｘ、ＣＵｙ、ＣＵｚ）とされる（ＣＵｘ＝（Ｕｘ−ａ＋Ｕｘ−ｂ＋Ｕｘ−ｃ）／３、ＣＵｙ＝（Ｕｙ−ａ＋Ｕｙ−ｂ＋Ｕｙ−ｃ）／３、ＣＵｚ＝（Ｕｚ−ａ＋Ｕｚ−ｂ＋Ｕｚ−ｃ）／３）。
【０１００】
また例えば、図１６に示す例において、決定方法が最遠距離法に設定されている場合、三人のユーザＯｂ−ａ、Ｏｂ−ｂ、Ｏｂ−ｃのうちの表示装置ＤＰから最も遠い位置に所在するユーザＯｂ−ｃの所在位置（Ｕｘ−ｃ、Ｕｙ−ｃ、Ｕｚ−ｃ）が合成所在位置（ＣＵｘ、ＣＵｙ、ＣＵｚ）とされる（ＣＵｘ＝Ｕｘ−ｃ、ＣＵｙ＝Ｕｙ−ｃ、ＣＵｚ＝Ｕｚ−ｃ）。
【０１０１】
また例えば、図１６に示す例において、決定方法が最近距離法に設定されている場合、三人のユーザＯｂ−ａ、Ｏｂ−ｂ、Ｏｂ−ｃのうちの表示装置ＤＰから最も近い位置に所在するユーザＯｂ−ａの所在位置（Ｕｘ−ａ、Ｕｙ−ａ、Ｕｚ−ａ）が合成所在位置（ＣＵｘ、ＣＵｙ、ＣＵｚ）とされる（ＣＵｘ＝Ｕｘ−ａ、ＣＵｙ＝Ｕｙ−ａ、ＣＵｚ＝Ｕｚ−ａ）。
【０１０２】
また例えば、図１６に示す例において、決定方法が大人優先法に設定されている場合、サイズ処理部１４４によって、各ユーザの各大きさが求められ、三人のユーザＯｂ−ａ、Ｏｂ−ｂ、Ｏｂ−ｃのうちの最も大きなユーザＯｂ−ｃの所在位置（Ｕｘ−ｃ、Ｕｙ−ｃ、Ｕｚ−ｃ）が合成所在位置（ＣＵｘ、ＣＵｙ、ＣＵｚ）とされる（ＣＵｘ＝Ｕｘ−ｃ、ＣＵｙ＝Ｕｙ−ｃ、ＣＵｚ＝Ｕｚ−ｃ）。
【０１０３】
また例えば、図１６に示す例において、決定方法が子供優先法に設定されている場合、サイズ処理部１４４によって、各ユーザの各大きさが求められ、三人のユーザＯｂ−ａ、Ｏｂ−ｂ、Ｏｂ−ｃのうちの最も小さなユーザＯｂ−ａの所在位置（Ｕｘ−ａ、Ｕｙ−ａ、Ｕｚ−ａ）が合成所在位置（ＣＵｘ、ＣＵｙ、ＣＵｚ）とされる（ＣＵｘ＝Ｕｘ−ａ、ＣＵｙ＝Ｕｙ−ａ、ＣＵｚ＝Ｕｚ−ａ）。
【０１０４】
図１４に戻って、ＤＰ制御処理部１４は、表示調整部１４５によって、位置処理部１４３で求めたユーザの所在位置（Ｕｘ、Ｕｙ、Ｕｚ）が複数ではない場合にはその所在位置（Ｕｘ，Ｕｙ、Ｕｚ）、あるいは、位置処理部１４３で求めたユーザの所在位置（Ｕｘ、Ｕｙ、Ｕｚ）が複数である場合にはそれらの合成所在位置（ＣＵｘ，ＣＵｙ、ＣＵｚ）（以下、「所在位置等（（Ｕｘ、Ｕｙ、Ｕｚ）または（ＣＵｘ，ＣＵｙ、ＣＵｚ））」と呼称する。）と測色情報記憶部１５１に記憶された測色情報とに基づいて、前記ユーザの所在位置等（（Ｕｘ、Ｕｙ、Ｕｚ）または（ＣＵｘ，ＣＵｙ、ＣＵｚ））から表示部１２の表示面を見た場合に前記目標の見え方となるように、前記表示面上の位置に応じた調整値で、表示部１２の表示状態を調整する。
【０１０５】
より具体的には、処理Ｓ５５において、表示調整部１４５は、測色情報記憶部１５１に記憶された測色情報から、前記ユーザの所在位置等（（Ｕｘ、Ｕｙ、Ｕｚ）または（ＣＵｘ，ＣＵｙ、ＣＵｚ））に応じた測色結果を選定し、取り出す。なお、表示調整部１４５は、上述した補間の処理を実行してもよい。
【０１０６】
例えば、前記ユーザの所在位置等（（Ｕｘ、Ｕｙ、Ｕｚ）または（ＣＵｘ，ＣＵｙ、ＣＵｚ））が座標（−７００、０，１０００）である場合、表示調整部１４５は、測色情報記憶部１５１に記憶された測色情報から、Ｕｘ（またはＣＵｘ）＝ＭＤｘ＝−７００、Ｕｙ（またはＣＵｙ）＝ＭＤｙ＝０、Ｕｚ（またはＣＵｚ）＝ＭＤｚ＝１０００の座標位置に配置された２次元測色計ＭＤで測色された図５に示す測色結果を選定し、取り出す。また例えば、前記ユーザの所在位置等（（Ｕｘ、Ｕｙ、Ｕｚ）または（ＣＵｘ，ＣＵｙ、ＣＵｚ））が座標（−３５０、０，１０００）である場合、表示調整部１４５は、測色情報記憶部１５１に記憶された測色情報から、Ｕｘ（またはＣＵｘ）＝ＭＤｘ＝−３５０、Ｕｙ（またはＣＵｙ）＝ＭＤｙ＝０、Ｕｚ（またはＣＵｚ）＝ＭＤｚ＝１０００の座標位置に近い位置に配置された２次元測色計ＭＤで測色された図４および図５に示す各測色結果を選定し、これら図４および図５に示す各測色結果に基づいて、補間によって、前記座標（−３５０、０，１０００）に対応する測色結果を生成する。
【０１０７】
次に、表示調整部１４５は、表示部１２における各画素ごとに、この取り出した測色結果と前記目標の見え方との差を補償するように前記表示面上の位置に応じた調整値をそれぞれ生成する（Ｓ５６）。
【０１０８】
そして、ＤＰ制御処理部１４は、処理Ｓ５６で求めた各調整値を用いて表示を行い（Ｓ５７）、処理を終了する。例えば、前記静止画の表示では、ＤＰ制御処理部１４は、処理Ｓ５６で求めた各調整値を用いて前記静止画の各画素値をそれぞれ調整して前記静止画を表示部１２に表する。また例えば、前記動画の表示では、ＤＰ制御処理部１４は、処理Ｓ５６で求めた各調整値を用いて前記動画におけるフレームの各画素値を調整して前記動画のフレームを表示部１２に表示する。
【０１０９】
一例として、前記ユーザの所在位置等（（Ｕｘ、Ｕｙ、Ｕｚ）または（ＣＵｘ，ＣＵｙ、ＣＵｚ））が座標（−７００、０、１０００）である場合、座標（−１５、０）の測定結果（輝度Ｙ＝１００ｃｄ／ｍ２、色度ｘ＝０．３１２７、色度ｙ＝０．３２９０）が前記目標の見え方となり、表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、各領域における各画素の表示状態が調整される。例えば、座標（１４、０）の領域では、その測定結果（輝度Ｙ＝５０ｃｄ／ｍ２、色度ｘ＝０．３３６、色度ｙ＝０．３５５）と目標の見え方（輝度Ｙ＝１００ｃｄ／ｍ２、色度ｘ＝０．３１２７、色度ｙ＝０．３２９０）との差が求められ、この差を調整値として、座標（１４、０）の領域における各画素の表示状態が調整される（例えば、各画素の輝度Ｙは、その差５０ｃｄ／ｍ２を補償するようにアップされる。すなわち、各画素の輝度Ｙは、２倍される）。
【０１１０】
以上説明したように、本実施形態における表示システムＤＳ、表示装置ＤＰおよびこれに実装された表示方法は、位置処理部１４３で求めたユーザの所在位置（Ｕｘ、Ｕｙ、Ｕｚ）と測色情報記憶部１５１に記憶された前記測色情報とに基づいて、前記ユーザの所在位置（Ｕｘ、Ｕｙ、Ｕｚ）から表示部１２の表示面を見た場合に予め設定された目標の見え方となるように、表示部１２の表示状態を調整する表示調整部１４５を備えるので、前記ユーザの所在する所在位置（Ｕｘ、Ｕｙ、Ｕｚ）に応じて表示状態（表示出力）を調整できる。このため、上記表示システムＤＳ、表示装置ＤＰおよび表示方法は、表示部１２の色度、輝度を目標の見え方に近づけることができる。そして、上記表示システムＤＳ、表示装置ＤＰおよび表示方法では、複数のユーザによる複数の所在位置（Ｕｘ、Ｕｙ、Ｕｚ）から１個の位置を合成所在位置（ＣＵｘ、ＣＵｙ、ＣＵｚ）として決定する決定方法が合成所在位置決定情報記憶部１５２に記憶されており、表示調整部１４５は、位置処理部１４３で複数のユーザによる複数の所在位置（Ｕｘ、Ｕｙ、Ｕｚ）を検出した場合、これら検出した複数の所在位置（Ｕｘ、Ｕｙ、Ｕｚ）から合成所在位置決定情報記憶部１５２に記憶された決定方法に従って合成所在位置（ＣＵｘ、ＣＵｙ、ＣＵｚ）を求め、この求めた合成所在位置（ＣＵｘ、ＣＵｙ、ＣＵｚ）と測色情報記憶部１５１に記憶された前記測色情報とに基づいて、合成所在位置（ＣＵｘ、ＣＵｙ、ＣＵｚ）から表示部１２の表示面を見た場合に予め設定された目標の見え方となるように、表示部１２の表示状態を調整する。したがって、上記表示システムＤＳ、表示装置ＤＰおよび表示方法は、複数のユーザが存在する場合でも、表示状態をより適切に調整できる。
【０１１１】
ユーザは、表示部１２における表示面の各位置を、前記各位置に応じた各角度で見込むため、前記各位置に応じた各見え方で見えることになるが、上記表示システムＤＳ、表示装置ＤＰおよび表示方法は、前記表示面上の位置に応じた調整値で、表示部１２の表示状態（表示出力）を調整するので、前記各位置に応じた各見え方を個々に好適に調整できる。
【０１１２】
また、上記表示システムＤＳ、表示装置ＤＰおよび表示方法は、予め複数の決定方法を合成所在位置決定情報記憶部１５２に記憶しているので、これら予め用意された複数の決定方法のうちから、ユーザの考えに応じた決定方法を設定できる。そして、この場合に、上記表示システムＤＳ、表示装置ＤＰおよび表示方法は、リモートコントローラＲＤの通信信号を受信する通信ＩＦ部１３を備えるので、遠隔操作で、決定方法を設定できる。
【０１１３】
また、上記表示システムＤＳでは、表示装置ＤＰは、２次元測色計ＭＤで測色した測色結果を取得するので、自動的に、前記測色結果を前記測色情報として測色情報記憶部１５１に記憶できる。
【０１１４】
なお、上述の実施形態では、表示部１２の表示面に対するユーザの所在位置（Ｕｘ、Ｕｙ、Ｕｚ）を検出する位置検出部は、ステレオカメラ１１と位置処理部１４３とを備えて構成されたが、これに限定されるものではない。例えば、前記位置検出部は、所定の間隔を空けて２次元アレイ状に配列された複数の焦電素子、距離計および情報処理回路等を備えて構成され、前記情報処理回路は、複数の焦電素子における各出力からユーザの所在する方向（Ｕｘ、Ｕｙ）を検出し、この検出した方向（Ｕｘ、Ｕｙ）へ前記距離計によってユーザまでの距離（Ｕｚ）を測定することで、ユーザの所在位置（Ｕｘ、Ｕｙ、Ｕｚ）を検出しても良い。前記距離計は、例えば、超音波やレーザ光のパルスを送受信し、そのＴＯＦ（Ｔｉｍｅ  Ｏｆ  Ｆｒｉｇｈｔ）から測定対象（ユーザ）までの距離を求めるＴＯＦ方式距離計等である。また例えば、前記位置検出部は、ＬＩＤＡＲ（Ｌａｓｅｒ  Ｉｍａｇｉｎｇ  Ｄｅｔｅｃｔｉｏｎ  ａｎｄ  Ｒａｎｇｉｎｇ）技術を用いることによって、被写体までの距離を表す情報で表現された複数の画素で構成される距離画像（Ｕｘ、Ｕｙ、Ｕｚ）を生成する距離画像センサおよび情報処理回路等を備えて構成され、前記情報処理回路は、距離画像から、例えば予め用意された人物モデルのパターンマッチングによって、あるいは、人物検出用に学習したニューラルネットワークによって、人物領域を検出し、この検出した人物領域内における所定点の位置を前記ユーザの所在位置（Ｕｘ、Ｕｙ、Ｕｚ）として検出しても良い。
【０１１５】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１１６】
ＤＳ  表示システム
ＤＰ  表示装置
ＭＤ  ２次元測色計
ＲＤ  リモートコントローラ
１１  ステレオカメラ
１２  表示部
１３  通信インターフェース部（通信ＩＦ部）
１４  表示側制御処理部（ＤＰ制御処理部）
１５  表示側記憶部（ＤＰ記憶部）
１６  アンテナ
１７  表示側インターフェース部（ＤＰＩＦ部）
２１  ２次元測色部
２２  測色側制御処理部（ＭＤ制御処理部）
２３  測色側インターフェース部（ＭＤＩＦ部）
１４２  映像信号生成部
１４３  位置処理部
１４４  サイズ処理部
１４５  表示調整部
１４６  決定方法設定部
１４７  測色情報記憶処理部
１４８  位置表示処理部
１５１  測色情報記憶部
１５２  合成所在位置決定情報記憶部
２２２  測色位置取得出力処理部
【図１】
2017090854.tif 000003
【図２】
2017090854.tif 000004
【図３】
2017090854.tif 000005
【図４】
2017090854.tif 000006
【図５】
2017090854.tif 000007
【図６】
2017090854.tif 000008
【図７】
2017090854.tif 000009
【図８】
2017090854.tif 000010
【図９】
2017090854.tif 000011
【図１０】
2017090854.tif 000012
【図１１】
2017090854.tif 000013
【図１２】
2017090854.tif 000014
【図１３】
2017090854.tif 000015
【図１４】
2017090854.tif 000016
【図１５】
2017090854.tif 000017
【図１６】
2017090854.tif 000018